(57)【要約】【課題】ＩＰ方式で伝送する放送方式においてクロック同期、提示同期を良好に実現する。【解決手段】時刻情報サーバから取得された時刻情報に同期した２７ＭＨｚのクロックを生成する。この２７ＭＨｚのクロックの周波数情報を含む時刻情報を生成する。伝送メディアと、生成された時刻情報に基づいて得られた伝送メディアの提示単位毎の提示時刻情報と、生成された時刻情報あるいは時刻情報サーバから取得された時刻情報とを含むＩＰ方式（例えば、ＲＴＰ方式、ＭＭＴ方式など）の放送信号を送信する。【選択図】図１６
2014230154.tif 000002
【特許請求の範囲】
【請求項１】
時刻情報サーバから取得された時刻情報に同期した２７ＭＨｚのクロックを生成するクロック生成部と、
上記クロック生成部で生成された２７ＭＨｚのクロックの周波数情報を含む上記時刻情報サーバから取得された時刻情報に同期した時刻情報を生成する時刻情報生成部と、
伝送メディアと、上記時刻情報生成部で生成された時刻情報に基づいて得られた該伝送メディアの提示単位毎の提示時刻情報と、上記時刻情報生成部で生成された時刻情報あるいは上記時刻情報サーバから取得された時刻情報とを含むＩＰ方式の放送信号を送信する送信部とを備える
送信装置。
【請求項２】
上記放送信号は、
上記伝送メディアを含むＩＰパケットをカプセル化した第１の伝送パケットと、上記時刻情報生成部で生成された時刻情報あるいは上記時刻情報サーバから取得された時刻情報を含むＩＰパケットをカプセル化した第２の伝送パケットとを持つ
請求項１に記載の送信装置。
【請求項３】
上記第１の伝送パケット内のＩＰパケットは、該ＩＰパケットに含まれている伝送メディアの上記提示時刻情報をさらに含む
請求項２に記載の送信装置。
【請求項４】
上記第１の伝送パケット内のＩＰパケットは、ペイロード部に上記伝送メディアが配置されたＲＴＰパケットを含む
請求項３に記載の送信装置。
【請求項５】
上記放送信号は、
上記第１の伝送パケット内のＩＰパケットに含まれている伝送メディアの上記提示時刻情報を含むＩＰパケットをカプセル化した第３の伝送パケットを持つ
請求項２に記載の送信装置。
【請求項６】
上記第１の伝送パケット内のＩＰパケットは、ペイロード部に上記伝送メディアが配置されたＭＭＴパケットを含み、
上記第２の伝送パケット内のＩＰパケットは、ペイロード部に上記提示時刻情報が配置されたＭＭＴパケットを含む
請求項５に記載の送信装置。
【請求項７】
上記時刻情報生成部は、
上記クロック生成部で生成された２７ＭＨｚのクロックをカウントして３００分周する９ビットカウンタと、該９ビットカウンタの分周出力をカウントして９００００分周する１７ビットカウンタと、該１７ビットカウンタの分周出力をカウントする３２ビットカウンタとを有する
請求項１に記載の送信装置。
【請求項８】
上記クロック生成部は、
２７ＭＨｚのクロックを出力する電圧制御発振器と、
上記電圧制御発振器のクロック出力をカウントして３００分周する９ビットカウンタと、
上記９ビットカウンタの分周出力をカウントして９００００分周する１７ビットカウンタと、
上記１７ビットカウンタの分周出力をカウントする３２ビットカウンタと、
上記９ビットカウンタ、上記１７ビットカウンタおよび上記３２ビットカウンタのビット出力のうち、上記９ビットカウンタおよび上記１７ビットカウンタのビット出力を、上記３２ビットカウンタのビット出力の下位に連続する３２ビット出力に変換して、該変換された３２ビット出力と上記３２ビットカウンタのビット出力とを合わせた６４ビット出力を得るビット変換部と、
上記ビット変換部で得られた６４ビット出力と上記時刻情報サーバから取得された時刻情報とを比較し、差分値に対応した制御信号を上記電圧制御発振器に与える比較器とを有し、
上記時刻情報生成部は、
上記９ビットカウンタ、上記１７ビットカウンタおよび上記３２ビットカウンタにより構成される
請求項１に記載の送信装置。
【請求項９】
上記放送信号は、
含まれる時刻情報が、上記時刻情報生成部で生成された時刻情報であるか上記時刻情報サーバから取得された時刻情報であるかを示す識別情報をさらに含む
請求項１に記載の送信装置。
【請求項１０】
時刻情報サーバから取得された時刻情報に同期した２７ＭＨｚのクロックを生成するクロック生成ステップと、
上記生成された２７ＭＨｚのクロックの周波数情報を含む上記時刻情報サーバから取得された時刻情報に同期した時刻情報を生成する時刻情報生成ステップと、
伝送メディアと、上記発生された時刻情報に基づいて得られた該伝送メディアの提示単位毎の提示時刻情報と、上記生成された時刻情報あるいは上記時刻情報サーバから取得された時刻情報とを含むＩＰ方式の放送信号を送信する送信ステップとを備える
送信方法。
【請求項１１】
伝送メディアと、該伝送メディアの提示単位毎の提示時刻情報と、時刻情報サーバから取得された時刻情報に関連した時刻情報とを含むＩＰ方式の放送信号を受信する受信部と、
上記放送信号に含まれる時刻情報サーバから取得された時刻情報に関連した時刻情報に基づいて、該時刻情報に同期した、２７ＭＨｚのクロックおよび該２７ＭＨｚのクロックの周波数情報を含む時刻情報を生成するクロック・時刻情報生成部と、
上記放送信号に含まれる伝送メディアを、上記放送信号に含まれる提示時刻情報と、上記クロック・時刻情報生成部で生成されたクロックおよび時刻情報に基づいて処理する処理部とを備える
受信装置。
【請求項１２】
上記放送信号に含まれる時刻情報サーバから取得された時刻情報に関連した時刻情報は、該時刻情報サーバから取得された時刻情報に同期した２７ＭＨｚの周波数情報を含む時刻情報であり、
上記クロック・時刻情報生成部は、
２７ＭＨｚのクロックを出力する電圧制御発振器と、
上記電圧制御発振器のクロック出力をカウントして３００分周する９ビットカウンタと、
上記９ビットカウンタの分周出力をカウントして９００００分周する１７ビットカウンタと、
上記１７ビットカウンタの分周出力をカウントする３２ビットカウンタと、
上記９ビットカウンタ、上記１７ビットカウンタおよび上記３２ビットカウンタのビット出力と上記放送信号が有する時刻情報サーバから取得された時刻情報に関連した時刻情報とを比較し、上記電圧制御発振器に制御信号として供給する誤差信号を得る比較器とを有する
請求項１１に記載の受信装置。
【請求項１３】
上記放送信号に含まれる時刻情報サーバから取得された時刻情報に関連した時刻情報は、上記時刻情報サーバから取得された時刻情報に同期した２７ＭＨｚの周波数情報を含む時刻情報あるいは上記時刻情報サーバから取得された時刻情報と同じ時刻情報であり、
上記放送信号は、上記時刻情報サーバから取得された時刻情報に関連した時刻情報が、該時刻情報サーバから取得された時刻情報に同期した２７ＭＨｚの周波数情報を含む第１の時刻情報であるか、該時刻情報サーバから取得された時刻情報と同じ時刻情報であるかを示す識別情報をさらに有し、
上記クロック・時刻情報生成部は、
２７ＭＨｚのクロックを出力する電圧制御発振器と、
上記電圧制御発振器のクロック出力をカウントして３００分周する９ビットカウンタと、
上記９ビットカウンタの分周出力をカウントして９００００分周する１７ビットカウンタと、
上記１７ビットカウンタの分周出力をカウントする３２ビットカウンタと、
上記９ビットカウンタ、上記１７ビットカウンタおよび上記３２ビットカウンタのビット出力と上記放送信号が有する時刻情報サーバから取得された時刻情報に関連した時刻情報とを比較し、上記電圧制御発振器に制御信号として供給する誤差信号を得る比較器と、
上記識別情報が上記第１の時刻情報を示すとき上記比較器で得られる誤差信号を上記電圧制御発振器に制御信号として供給し、上記識別情報が上記第２の時刻情報を示すとき固定値を上記電圧制御発振器に制御信号として供給するセレクタとを有する
請求項１１記載の受信装置。
【請求項１４】
上記放送信号に含まれる時刻情報サーバから取得された時刻情報に関連した時刻情報は、該時刻情報サーバから取得された時刻情報と同じ時刻情報であり、
上記クロック・時刻情報生成部は、
２７ＭＨｚのクロックを出力する電圧制御発振器と、
上記電圧制御発振器のクロック出力をカウントして３００分周する９ビットカウンタと、
上記９ビットカウンタの分周出力をカウントして９００００分周する１７ビットカウンタと、
上記１７ビットカウンタの分周出力をカウントする３２ビットカウンタと、
上記９ビットカウンタ、上記１７ビットカウンタおよび上記３２ビットカウンタのビット出力のうち、上記９ビットカウンタおよび上記１７ビットカウンタのビット出力を、上記３２ビットカウンタのビット出力の下位に連続する３２ビット出力に変換して、該変換された３２ビット出力と上記３２ビットカウンタのビット出力とを合わせた６４ビット出力を得るビット変換部と、
上記ビット変換部で得られた６４ビット出力と上記時刻情報サーバから取得された時刻情報とを比較し、上記電圧制御発振器に制御信号として供給する誤差信号を得る比較器とを有する
請求項１１に記載の送信装置。
【請求項１５】
上記放送信号は、
上記伝送メディアを含むＩＰパケットをカプセル化した第１の伝送パケットと、上記時刻情報サーバから取得された時刻情報に関連した時刻情報を含むＩＰパケットをカプセル化した第２の伝送パケットとを持つ
請求項１１に記載の送信装置。
【請求項１６】
上記第１の伝送パケット内のＩＰパケットは、該ＩＰパケットに含まれている伝送メディアの上記提示時刻情報をさらに含む
請求項１５に記載の送信装置。
【請求項１７】
上記放送信号は、
上記第１の伝送パケット内のＩＰパケットに含まれている伝送メディアの上記提示時刻情報を含むＩＰパケットをカプセル化した第３の伝送パケットを持つ
請求項１５に記載の送信装置。
【請求項１８】
伝送メディアと、該伝送メディアの提示単位毎の提示時刻情報と、時刻情報サーバから取得された時刻情報に関連した時刻情報とを含むＩＰ方式の放送信号を受信する受信ステップと、
上記放送信号に含まれる時刻情報サーバから取得された時刻情報に関連した時刻情報に基づいて、該時刻情報に同期した、２７ＭＨｚのクロックおよび該２７ＭＨｚのクロックの周波数情報を含む時刻情報を生成するクロック・時刻情報発生ステップと、
上記放送信号に含まれる上記伝送メディアを、上記放送信号に含まれる提示時刻情報と、上記生成されたクロックおよび時刻情報に基づいて処理する処理ステップとを備える
受信方法。
【発明の詳細な説明】
【技術分野】
【０００１】
本技術は、送信装置、送信方法、受信装置および受信方法に関し、詳しくは、ビデオ、オーディオなどの伝送メディアを含むＩＰ方式の放送信号を送信する送信装置等に関する。
【背景技術】
【０００２】
従来、デジタル放送は世界的にＭＰＥＧ２−ＴＳ方式のシステム仕様に基づいて規定され運用されてきた。運用を開始した後、１０−１５年経過するうちに、映像符号化の技術が進化すると共により高解像度高画質化の要求も高まってきた。また、一方で、インターネットの普及と高速化が進み、放送と同等の画質の映像信号を、通信路を経由して受信することも可能となってきた。
【０００３】
そのような状況にあって、放送と通信を統合的に利用したサービスへの期待もふくらんできており、技術的にも放送と通信の配信仕様の共通化、統合化が求められている。その結果放送システム仕様として、従来のＭＰＥＧ２−ＴＳ方式ではなく、通信と同様のＩＰ方式で伝送する方式が新たな放送方式として検討されている（例えば、非特許文献１参照）。
【先行技術文献】
【非特許文献】
【０００４】
【非特許文献１】Study of ISO/IEC CD 23008-1 MPEG Media Transport ,[online],[平成２５年５月７日検索]、インターネット＜ＵＲＬ： http://mpeg.chiariglione.org/standards/mpeg-h/mpeg-media-transport＞
【発明の概要】
【発明が解決しようとする課題】
【０００５】
本技術の目的は、ＩＰ方式で伝送する放送方式においてクロック同期、提示同期を良好に実現することにある。
【課題を解決するための手段】
【０００６】
本技術の概念は、
時刻情報サーバから取得された時刻情報に同期した２７ＭＨｚのクロックを生成するクロック生成部と、
上記クロック生成部で生成された２７ＭＨｚのクロックの周波数情報を含む上記時刻情報サーバから取得された時刻情報に同期した時刻情報を生成する時刻情報生成部と、
伝送メディアと、上記時刻情報生成部で生成された時刻情報に基づいて得られた該伝送メディアの提示単位毎の提示時刻情報と、上記時刻情報生成部で生成された時刻情報あるいは上記時刻情報サーバから取得された時刻情報とを含むＩＰ方式の放送信号を送信する送信部とを備える
送信装置にある。
【０００７】
本技術において、クロック生成部により、ＮＴＰ（Network Time Protocol）サーバから取得された時刻情報に同期した２７ＭＨｚのクロックが生成される。時刻情報生成部により、クロック生成部で生成された２７ＭＨｚのクロックの周波数情報を含む時刻情報が生成される。この時刻情報は時刻情報サーバから取得された時刻情報に同期したものである。
【０００８】
例えば、時刻情報生成部は、クロック生成部で生成された２７ＭＨｚのクロックをカウントして３００分周する９ビットカウンタと、この９ビットカウンタの分周出力をカウントして９００００分周する１７ビットカウンタと、この１７ビットカウンタの分周出力をカウントする３２ビットカウンタとを有する、ようにされてもよい。
【０００９】
また、例えば、クロック生成部は、２７ＭＨｚのクロックを出力する電圧制御発振器と、この電圧制御発振器のクロック出力をカウントして３００分周する９ビットカウンタと、この９ビットカウンタの分周出力をカウントして９００００分周する１７ビットカウンタと、この１７ビットカウンタの分周出力をカウントする３２ビットカウンタと、９ビットカウンタ、１７ビットカウンタおよび３２ビットカウンタのビット出力のうち、９ビットカウンタおよび１７ビットカウンタのビット出力を、３２ビットカウンタのビット出力の下位に連続する３２ビット出力に変換して、この変換された３２ビット出力と３２ビットカウンタのビット出力とを合わせた６４ビット出力を得るビット変換部と、このビット変換部で得られた６４ビット出力と時刻情報サーバから取得された時刻情報とを比較し、差分値に対応した制御信号を上記電圧制御発振器に与える比較器とを有し、時刻情報生成部は、９ビットカウンタ、１７ビットカウンタおよび３２ビットカウンタにより構成される、ようにされてもよい。
【００１０】
送信部により、伝送メディアと、時刻情報生成部で生成された時刻情報に基づいて得られた伝送メディアの提示単位毎の提示時刻情報と、時刻情報生成部で生成された時刻情報あるいは時刻情報サーバから取得された時刻情報とを含むＩＰ方式の放送信号が送信される。
【００１１】
例えば、放送信号は、伝送メディアを含むＩＰパケットをカプセル化した第１の伝送パケットと、時刻情報生成部で生成された時刻情報あるいは時刻情報サーバから取得された時刻情報を含むＩＰパケットをカプセル化した第２の伝送パケットとを持つ、ようにされてもよい。
【００１２】
この場合、第１の伝送パケット内のＩＰパケットは、このＩＰパケットに含まれている伝送メディアの提示時刻情報をさらに含む、ようにされてもよい。例えば、第１の伝送パケット内のＩＰパケットは、ペイロード部に上記伝送メディアが配置されたＲＴＰパケットを含む、ようにされてもよい。
【００１３】
また、この場合、放送信号は、第１の伝送パケット内のＩＰパケットに含まれている伝送メディアの提示時刻情報を含むＩＰパケットをカプセル化した第３の伝送パケットを持つ、ようにされてもよい。例えば、第１の伝送パケット内のＩＰパケットは、ペイロード部に伝送メディアが配置されたＭＭＴパケットを含み、第２の伝送パケット内のＩＰパケットは、ペイロード部に提示時刻情報が配置されたＭＭＴパケットを含む、ようにされてもよい。
【００１４】
このように本技術においては、放送信号に時刻情報サーバから取得された時刻情報に同期した２７ＭＨｚのクロックの周波数情報を含む時刻情報あるいは時刻情報サーバから取得された時刻情報が含まれるものである。そのため、受信側では、この時刻情報に基づいて送信側と同様の２７ＭＨｚのクロック（システムクロック）を生成でき、クロック同期の実現が可能となる。
【００１５】
また、本技術において、放送信号にさらに時刻情報サーバから取得された時刻情報に同期した２７ＭＨｚのクロックの周波数情報を持つ時刻情報に基づいて得られた伝送メディアの提示単位毎の提示時刻情報が含まれるものである。そのため、受信側では、送信信号に含まれる時刻情報に基づいて生成される２７ＭＨｚのクロックの周波数情報を含む時刻情報と、伝送メディアの提示単位毎の提示時刻情報とに基づき、提示同期の実現が可能となる。
【００１６】
なお、本技術において、例えば、放送信号は、含まれる時刻情報が、時刻情報生成部で生成された時刻情報であるか時刻情報サーバから取得された時刻情報であるかを示す識別情報をさらに含む、ようにされてもよい。この場合、受信側においては、識別情報が示す時刻情報に応じたクロック生成処理などを行うことが可能となる。
【００１７】
また、本技術の他の概念は、
伝送メディアと、該伝送メディアの提示単位毎の提示時刻情報と、時刻情報サーバから取得された時刻情報に関連した時刻情報とを含むＩＰ方式の放送信号を受信する受信部と、
上記放送信号に含まれる時刻情報サーバから取得された時刻情報に関連した時刻情報に基づいて、該時刻情報に同期した、２７ＭＨｚのクロックおよび該２７ＭＨｚのクロックの周波数情報を含む時刻情報を生成するクロック・時刻情報生成部と、
上記放送信号に含まれる伝送メディアを、上記放送信号に含まれる提示時刻情報と、上記クロック・時刻情報生成部で生成されたクロックおよび時刻情報に基づいて処理する処理部とを備える
受信装置にある。
【００１８】
本技術において、受信部により、伝送メディアと、この伝送メディアの提示単位毎の提示時刻情報と、時刻情報サーバから取得された時刻情報に関連した時刻情報とを含むＩＰ方式の放送信号が受信される。例えば、放送信号は、伝送メディアを含むＩＰパケットをカプセル化した第１の伝送パケットと、時刻情報サーバから取得された時刻情報に関連した時刻情報を含むＩＰパケットをカプセル化した第２の伝送パケットとを持つ、ようにされてもよい。
【００１９】
この場合、例えば、第１の伝送パケット内のＩＰパケットは、該ＩＰパケットに含まれている伝送メディアの提示時刻情報をさらに含む、ようにされてもよい。また、この場合、例えば、放送信号は、第１の伝送パケット内のＩＰパケットに含まれている伝送メディアの提示時刻情報を含むＩＰパケットをカプセル化した第３の伝送パケットを持つ、ようにされてもよい。
【００２０】
クロック・時刻情報生成部により、放送信号に含まれる時刻情報サーバから取得された時刻情報に関連した時刻情報に基づいて、この時刻情報に同期した、２７ＭＨｚのクロックおよびこの２７ＭＨｚのクロックの周波数情報を含む時刻情報が生成される。そして、処理部により、放送信号に含まれる伝送メディアが、放送信号に含まれる提示時刻情報と、クロック・時刻情報生成部で生成されたクロックおよび時刻情報に基づいて処理される。
【００２１】
例えば、放送信号に含まれる時刻情報サーバから取得された時刻情報に関連した時刻情報は、この時刻情報サーバから取得された時刻情報に同期した２７ＭＨｚの周波数情報を含む時刻情報であり、クロック・時刻情報生成部は、２７ＭＨｚのクロックを出力する電圧制御発振器と、この電圧制御発振器のクロック出力をカウントして３００分周する９ビットカウンタと、この９ビットカウンタの分周出力をカウントして９００００分周する１７ビットカウンタと、この１７ビットカウンタの分周出力をカウントする３２ビットカウンタと、９ビットカウンタ、１７ビットカウンタおよび３２ビットカウンタのビット出力と放送信号が有する時刻情報サーバから取得された時刻情報に関連した時刻情報とを比較し、電圧制御発振器に制御信号として供給する誤差信号を得る比較器とを有する、ようにされてもよい。
【００２２】
また、例えば、放送信号に含まれる時刻情報サーバから取得された時刻情報に関連した時刻情報は、時刻情報サーバから取得された時刻情報に同期した２７ＭＨｚの周波数情報を含む時刻情報あるいは時刻情報サーバから取得された時刻情報と同じ時刻情報であり、放送信号は、放送信号が有する時刻情報サーバから取得された時刻情報に関連した時刻情報が、時刻情報サーバから取得された時刻情報に同期した２７ＭＨｚの周波数情報を含む第１の時刻情報であるか、時刻情報サーバから取得された時刻情報と同じ時刻情報であるかを示す識別情報をさらに有し、クロック・時刻情報発生部は、２７ＭＨｚのクロックを出力する電圧制御発振器と、この電圧制御発振器のクロック出力をカウントして３００分周する９ビットカウンタと、この９ビットカウンタの分周出力をカウントして９００００分周する１７ビットカウンタと、この１７ビットカウンタの分周出力をカウントする３２ビットカウンタと、９ビットカウンタ、１７ビットカウンタおよび３２ビットカウンタのビット出力と放送信号が有する時刻情報サーバから取得された時刻情報に関連した時刻情報とを比較し、電圧制御発振器に制御信号として供給する誤差信号を得る比較器と、識別情報が第１の時刻情報を示すとき比較器で得られる誤差信号を電圧制御発振器に制御信号として供給し、識別情報が第２の時刻情報を示すとき固定値を電圧制御発振器に制御信号として供給するセレクタとを有する、ようにされてもよい。
【００２３】
このように本技術においては、放送信号に含まれる時刻情報サーバから取得された時刻情報に関連した時刻情報に基づいて送信側と同様の２７ＭＨｚのクロック（システムクロック）と、この２７ＭＨｚのクロックの周波数情報を含む時刻情報が生成されるものである。そして、これらのクロックおよび時刻情報と、放送信号に含まれる伝送メディアの提示単位毎の提示時刻情報とに基づいて、伝送メディアが処理されるものである。そのため、クロック同期および提示同期の実現が可能となる。
【発明の効果】
【００２４】
本技術によれば、ＩＰ方式で伝送する放送方式においてクロック同期、提示同期を良好に実現できる。なお、本明細書に記載された効果はあくまで例示であって限定されるものではなく、また付加的な効果があってもよい。
【図面の簡単な説明】
【００２５】
【図１】実施の形態としての送受信システムの構成例を示すブロック図である。
【図２】送信・受信システムにおけるクロック同期と提示同期について説明するための図である。
【図３】ＭＰＥＧ２−ＴＳ方式におけるクロック同期・提示同期方式を説明するための図である。
【図４】２７ＭＨｚの周波数情報を持つＰＣＲ（ＳＴＣ）の構成および９０ＫＨｚの周波数情報を持つＰＴＳの構成を示す図である。
【図５】ＲＴＰ方式における放送信号構成例を示すスタックモデルを示す図である。
【図６】ＲＴＰ方式放送ストリーム（放送信号）の構成を説明するための図である。
【図７】ＭＭＴ方式における放送信号構成例を示すスタックモデルを示す図である。
【図８】ＭＭＴ方式放送ストリーム（放送信号）の構成を説明するための図である。
【図９】ＲＴＰ方式による放送送出システムの構成例を示すブロック図である。
【図１０】ＭＭＴ方式による放送送出システムの構成例を示すブロック図である。
【図１１】受信機の構成例を示すブロック図である。
【図１２】ＮＴＰサーバおよびこのＮＴＰサーバが提供する時刻情報のフォーマット（NTP time stamp format）を説明するための図である。
【図１３】ＲＴＰ方式におけるクロック同期・提示同期方式を説明するための放送送出システム側の構成例を示すブロック図である。
【図１４】ＲＴＰ方式におけるクロック同期・提示同期方式を説明するための受信機側の構成例を示すブロック図である。
【図１５】ＮＴＰ・クロック・リファレンスの構成および各ＲＴＰパケットのヘッダに挿入されるタイムスタンプの構成を示す図である。
【図１６】ＭＭＴ方式におけるクロック同期・提示同期方式を説明するための放送送出システム側の構成例を示すブロック図である。
【図１７】ＭＭＴ方式におけるクロック同期・提示同期方式を説明するための受信機側の構成例を示すブロック図である。
【図１８】ＮＴＰ・クロック・リファレンスの構成および４９ビットあるいは３２ビットのタイムスタンプの構成を示す図である。
【図１９】ＮＴＰサーバから取得された６４ビットフォーマットの時刻情報の構成およびＮＴＰ_ＣＲの構成を示す図である。
【図２０】受信機の他の構成例を説明するための図である。
【図２１】ＭＭＴ方式における他のクロック同期・提示同期方式を説明するための放送送出システム側の構成例を示すブロック図である。
【図２２】ＭＭＴ方式における他のクロック同期・提示同期方式を説明するための受信機側の構成例を示すブロック図である。
【図２３】６４ビットフォーマットの時刻情報の構成およびタイムスタンプ（ＰＴＳ）の構成を示す図である。
【発明を実施するための形態】
【００２６】
以下、発明を実施するための形態（以下、「実施の形態」とする）について説明する。なお、説明を以下の順序で行う。
１．実施の形態
２．変形例
【００２７】
＜１．実施の形態＞
［放送システムの構成例］
図１は、実施の形態としての送受信システム１０の構成例を示している。この送受信システム１０は、放送送出システム１００と、受信機２００により構成されている。
【００２８】
放送送出システム１００は、ビデオ、オーディオなどの伝送メディアを含むＩＰ（Internet Protocol）方式の放送信号を送信する。放送送出システム１００は、時刻情報サーバとしてのＮＴＰ（Network Time Protocol）サーバから取得された時刻情報に同期した、２７ＭＨｚのクロック（システムクロック）と、この２７ＭＨｚのクロックの周波数情報を含む時刻情報を生成する。放送信号は、伝送メディアと共に、生成された時刻情報に基づいて得られた伝送メディアの提示単位毎の提示時刻情報と、生成された時刻情報とを含む。
【００２９】
受信機２００は、放送送出システム１００から送られてくる上述のＩＰ方式の放送信号を受信する。受信機２００は、放送信号に含まれる時刻情報に基づいて、この時刻情報に同期した、２７ＭＨｚのクロック（システムクロック）と、この２７ＭＨｚのクロックの周波数情報を含む時刻情報を生成する。そして、受信機２００は、放送信号に含まれる伝送メディアを、この放送信号に含まれる提示時刻情報と、生成されたクロックおよび時刻情報に基づいて処理する。
【００３０】
送受信システ１０においては、放送送出システム１００および受信機２００を上述した構成とすることで、従来のＭＰＥＧ２−ＴＳ方式と同様に、クロック同期と提示同期を実現する。
【００３１】
図２を用いて、送信・受信システムにおけるクロック同期と提示同期について説明する。送信システム、受信システムは、例えば、上述の放送送出システム１００、受信機２００に対応する。送信システムは、２７ＭＨｚのシステムクロックを生成するクロック生成部１１と、時刻情報を生成する時計部（時刻情報生成部）１２を有している。また、送信システムは、エンコード処理部１３と、パケット化/タイムスタンプ付加部１４と、エンコードバッファ１５を有している。
【００３２】
エンコード処理部１３では、ビデオ、オーディオなどの伝送メディアが符号化される。パケット化/タイムスタンプ付加部１４では、符号化後の伝送メディアのパケット化が行われると共に、時計部１２で生成される時刻情報に基づいて伝送メディアの提示単位毎に提示時刻情報（ＰＴＳ：Presentation Time Stamp）が付加される。そして、伝送メディアのパケットは、エンコードバッファ１５に一時的に蓄積され、適宜なタイミングで送信される。
【００３３】
受信システムは、２７ＭＨｚのシステムクロックを生成するクロック生成部２１と、時刻情報を発生する時計部（時刻情報生成部）２２を有している。また、受信システムは、デコードバッファ２３と、デパケット化/タイミング調整部２４と、デコード処理部２５を有している。
【００３４】
デコードバッファ２３では、受信された伝送メディアのパケットを一時的に蓄積する。デパケット化/タイミング調整部２４では、デコードバッファ２３に蓄積されている伝送メディアのパケットが、時計部２２で生成される時刻情報が参照され、付加されている提示時刻情報のタイミングで取り出されてデパケット化される。デコード処理部２５では、デパケット化により得られた伝送メディアが復号化され、ベースバンドの伝送メディアが得られる。
【００３５】
図１に示す送受信システム１０においては、クロック同期および提示同期が実現されている。このクロック同期・提示同期方式の詳細については、後述する。ここで、クロック同期とは、送信システムのクロック生成部１１で生成されるシステムクロックの周波数と、受信システムのクロック生成部２１で生成されるシステムクロックの周波数が、同一周波数となることを意味する。クロック同期が実現されていない場合、受信側で受信を継続しているうちにフレーム飛び等が発生するなどの破たんが起きる。
【００３６】
また、提示同期とは、送信システムの時計部１２の時刻情報と受信システムの時計部２２の時刻情報を合わせ、かつ伝送メディアの提示単位毎の提示時刻情報を伝送メディアのパケットに付加することを意味する。なお、ここで、送信システムの時計部１２の時刻情報に受信システムの時計部２２の時刻情報を合わせる場合には、送信システムから受信システムへの伝送遅延が考慮される。提示同期が実現されていない場合、受信側でビデオ、オーディオの同期をとってバッファを破たんさせずに適切に提示するということができなくなる。
【００３７】
図３は、従来のＭＰＥＧ２−ＴＳ方式におけるクロック同期・提示同期方式を示している。図示において、左側は放送送出システム側の構成例を示し、その右側は受信機の構成例を示している。
【００３８】
放送送出システムは、２７ＭＨｚのクロック（システムクロック）を生成する電圧制御発振器３１と、分周期３２と、比較器３３と、時計部（時刻情報発生部）を構成する９ビットカウンタ３４ａおよび３３ビットカウント３４ｂと、パケット化部３５を有している。また、この放送送出システムは、ビデオエンコード処理部３６と、パケット化/タイムスタンプ付加部３７と、エンコードバッファ３８と、マルチプレクサ３９を有している。
【００３９】
電圧制御発振器３１で生成される２７ＭＨｚのクロックは分周器３３で分周され、この分周器３３からは１水平期間の時間長でパルスが出力される。この分周器３２の出力パルスは比較器３３に供給され、リファレンス水平同期信号（Ref. Hsync）の位相と比較される。この比較器３４から出力される比較誤差信号は、電圧制御発振器３１に制御信号として供給される。電圧制御発振器３１、分周器３２および比較器３３はＰＬＬ（Phase Locked Loop）回路を構成し、電圧制御発振器３１では、リファレンス水平同期信号に同期した２７ＭＨｚのクロックが生成される。
【００４０】
この電圧制御発振器３１から出力される２７ＭＨｚのクロックは、９ビットカウンタ３４ａでカウントされ、３００分周される。そして、この９ビットカウンタ３４ａで得られる９０ＫＨｚのクロックは、３３ビットカウンタ３４ｂでカウントされる。これら９ビットカウンタ３４ａおよび３３ビットカウンタ３４ｂの（３３＋９）ビットのビット出力は、時刻情報としてのシステム・タイム・クロック（ＳＴＣ：System Time Clock）となる。
【００４１】
このシステム・タイム・クロックは、パケット化部３５に供給される。パケット化部３５では、このシステム・タイム・クロックに基づいたプログラム・クロック・リファレンス（ＰＣＲ：Program Clock Reference）を含むアダプテーションフィールドを持つＴＳパケットが生成される。このＴＳパケットは、所定の間隔で生成され、順次マルチプレクサ３９に供給される。なお、ＰＣＲは、ＴＳストリーム中に１００ｍｓ間隔で出現することが推奨されている。図４（ａ）は、２７ＭＨｚの周波数情報を持つＰＣＲ（ＳＴＣ）の構成を示している。
【００４２】
ビデオエンコード処理部３６では、電圧制御発振器３１で得られる２７ＭＨｚのクロックに同期して、ビデオ（ビデオデータ）が符号化される。パケット化/タイムスタンプ付加部３７では、符号化後のビデオのエレメンタリストリームから例えばピクチャ（Picture）毎にＰＥＳパケットが生成され、さらにペイロードに符号化ビデオを含むＴＳパケットが生成される。このＴＳパケットは、エンコードバッファ３８を通じてマルチプレクサ３９に供給される。
【００４３】
また、このパケット化/タイムスタンプ付加部３７には、３３ビットカウンタ３４ｂから出力される３３ビットのビット出力が供給される。この３３ビットのビット出力は、９０ｋＨｚの精度の時刻情報である。パケット化/タイムスタンプ付加部３７では、この３３ビットのビット出力に基づいて、プレゼンテーション・タイム・スタンプ（ＰＴＳ：Presentation Time Stamp）が各ＰＥＳパケットのヘッダに挿入される。図４（ｂ）は、９０ＫＨｚの周波数情報を持つＰＴＳの構成を示している。
【００４４】
マルチプレクサ３９には、上述したように、ＰＣＲを含むＴＳパケットおよび符号化ビデオを含むＴＳパケットが供給される。なお、図示は省略されているが、符号化オーディオなどを含むＴＳパケットも、符号化ビデオを含むＴＳパケットと同様に生成され、マルチプレクサ３９に供給される。マルチプレクサ３９では、各ＴＳパケットが多重化されて、ＴＳストリームが生成される。このＴＳストリームが放送信号として送信される。
【００４５】
受信機は、デマルチプレクサ４１と、２７ＭＨｚのクロック（システムクロック）を生成する電圧制御発振器４２と、時計（時刻情報発生部）を構成する９ビットカウンタ４３ａおよび３３ビットカウント４３ｂと、比較器４４を有している。また、受信機は、デコードバッファ４５と、提示制御部４６と、ビデオデコード処理部４７を有している。
【００４６】
デマルチプレクサ４１には、受信放送信号であるＴＳストリームが供給される。デマルチプレクサ４１では、ＰＣＲを含むＴＳパケットからＰＣＲが抽出される。選局時や電源投入時において、最初に受信した４２ビットのＰＣＲはカウンタ４３ａおよびカウンタ４４ｂからなる４２ビットのカウンタに初期値としてセットされる、その後に受信したＰＣＲは、比較器４４に供給される。
【００４７】
また、電圧制御発振器４２で生成される２７ＭＨｚのクロックは９ビットカウンタ４３ａでカウントされ、３００分周される。そして、この９ビットカウンタ４３ａで得られる９０ＫＨｚのクロックは、３３ビットカウンタ４３ｂでカウントされる。これら９ビットカウンタ４３ａおよび３３ビットカウンタ４３ｂの（３３＋９）ビットのビット出力は、時刻情報としてのシステム・タイム・クロック（ＳＴＣ：System Time Clock）となる。
【００４８】
このシステム・タイム・クロックは、比較器４４に供給される。比較器４４では、例えば、デマルチプレクサ４１からＰＣＲが供給されるタイミングで、システム・タイム・クロックがラッチされ、ＰＣＲと比較される。この比較器４４から出力される比較誤差信号は、電圧制御発振器４２に制御信号として供給される。電圧制御発振器４２、カウンタ４３ａ，４３ｂおよび比較器４４はＰＬＬ（Phase Locked Loop）回路を構成し、電圧制御発振器４２ではＰＣＲに同期した２７ＭＨｚのクロックが生成され、またカウンタ４３ａ，４３ｂではＰＣＲに同期したシステム・タイム・クロックが生成される。
【００４９】
また、デマルチプレクサ４１では、符号化ビデオを含むＴＳパケットが抽出され、デコードバッファ４５に一時的に蓄積される。また、３３ビットカウンタ４３ｂから出力される３３ビットのビット出力は、提示制御部４６に供給される。提示制御部４６では、デコードバッファ４５に蓄積されている各ＰＥＳパケットのＰＴＳが確認され、システム・タイム・クロックを参照し、デコード処理すべきＰＥＳパケットをデコードバッファ４５からビデオデコード処理部４７に順次取り込むことが行われる。
【００５０】
ビデオデコード処理部４７では、ＰＥＳパケットのデパケット化が行われ、さらに符号化ビデオの復号化が行われ、ベースバンドのビデオデータが得られる。そして、受信機では、このビデオデータによる映像表示が行われる。なお、図示は省略されているが、デマルチプレクサ４１では、符号化オーディオを含むＴＳパケットも抽出され、上述のビデオの場合と同様に処理されてベースバンドのオーディオデータが得られ、音声出力が行われる。
【００５１】
図１に戻って、上述したように、放送送出システム１００から受信機２００には、ＩＰ方式の放送信号が送信される。この実施の形態において、ＩＰ方式の放送信号は、例えば、ＲＴＰ（Real-Time Transport Protocol）方式あるいはＭＭＴ（MPEG Media Transport）方式とされる。
【００５２】
図５は、ＲＴＰ方式における放送信号構成例を示すスタックモデルである。下位に物理レイヤ（ＰＨＹ）がある。この物理レイヤには、変調方式、誤り訂正方式などが含まれる。この物理レイヤの上に、ＴＬＶ（Type Length Value）あるいはＧＳＥ（GSE（Generic
Stream Encapsulation）の伝送パケットのレイヤがある。
【００５３】
これらＴＬＶあるいはＧＳＥの伝送パケットの上にＩＰパケットが載る。このＩＰパケットの上に、さらに、ＵＤＰ（User Datagram Protocol）が載る。また、ＵＤＰの上に、インターネットで使用されているＲＴＰが載る。そして、このＲＴＰの上に、ビデオ、オーディオ、字幕などの伝送メディアが載る。一方、ＴＬＶあるいはＧＳＥの伝送パケットの上に、シグナリング（Signaling）情報としての伝送制御信号も載る。
【００５４】
ＲＴＰ方式における放送信号構成例の場合、ＩＰパケットの上は、基本的に、インターネットのストリーミングと同じ形となる。なお、図示のように、ＵＤＰの上に、さらにＮＴＰ（Network Time Protocol）が存在する。
【００５５】
図６は、ＲＴＰ方式放送ストリーム（放送信号）の構成例を示している。図６（ａ）は、ビデオのエレメンタリストリーム（Video ES）を示している。このビデオのエレメンタリストリームは、所定の大きさの固まりに分割され、図６（ｂ）に示すように、ＲＴＰパケット（RTP packet）のペイロード部に配置される。このＲＴＰパケットのヘッダ部にはタイムスタンプのフィールドが存在し、このフィールドに、各ピクチャの提示時刻を示すＰＴＳが挿入される。
【００５６】
図６（ｃ）に示すように、ＲＴＰパケットに、ＵＤＰヘッダ、ＩＰヘッダおよびＴＬＶヘッダが付加されて、ＲＴＰ方式放送ストリームを構成するＴＬＶパケット（TLV packet）が生成される。なお、ＴＬＶパケットには、ＮＴＰの時刻情報を含むパケットも存在する。なお、図示は省略されているが、ＴＬＶパケットとしては、さらに、オーディオ、字幕などのその他の伝送メディアのＲＴＰパケットを含むＴＬＶパケットも存在する。このＲＴＰ方式放送ストリームは、伝送メディアを含むＩＰパケットをカプセル化した第１の伝送パケットと、時刻情報を含むＩＰパケットをカプセル化した第２の伝送パケットとを持つものとなる。
【００５７】
図７は、ＭＭＴ方式における放送信号構成例を示すスタックモデルである。下位に物理レイヤ（ＰＨＹ）がある。この物理レイヤには、変調方式、誤り訂正方式などが含まれる。この物理レイヤの上に、ＴＬＶ（Type Length Value）あるいはＧＳＥ（GSE（Generic
Stream Encapsulation）の伝送パケットのレイヤがある。
【００５８】
これらＴＬＶあるいはＧＳＥの伝送パケットの上にＩＰパケットが載る。このＩＰパケットの上に、さらに、ＵＤＰ（User Datagram Protocol）が載る。一方、ＴＬＶあるいはＧＳＥの伝送パケットの上に、シグナリング（Signaling）情報としての伝送制御信号も載る。また、ＵＤＰの上に、ＭＭＴパケットが載る。このＭＭＴパケットのペイロード部には、ＭＦＵ（（MMT Fragment Unit））あるいはシグナリングメッセージ（Signaling Message）が含まれる。なお、図示のように、ＵＤＰの上に、さらにＮＴＰ（Network Time Protocol）が存在する。
【００５９】
図８は、ＭＭＴ方式放送ストリーム（放送信号）の構成例を示している。図８（ａ）は、ビデオのエレメンタリストリーム（Video ES）を示している。このビデオのエレメンタリストリームは、所定の大きさの固まりに分割され、図８（ｂ）に示すように、ＭＦＵのペイロード部に配置される。
【００６０】
図８（ｃ）に示すように、ＭＦＵにＭＭＴペイロードヘッダ（MMT payload header）が付加されてＭＭＴペイロード（MMT payload）が構成される。そして、図８（ｄ）に示すように、このＭＭＴペイロードにさらにＭＭＴヘッダ（MMT header）が付加されて、ＭＭＴパケット（MMT packet）が構成される。なお、ペイロード部に、各ピクチャの提示時刻を示すＰＴＳなどのシグナリングメッセージを含むＭＭＴパケットも存在する。
【００６１】
図８（ｅ）に示すように、ＭＭＴパケットに、ＵＤＰヘッダ、ＩＰヘッダおよびＴＬＶヘッダが付加されて、ＭＭＴ方式放送ストリームを構成するＴＬＶパケット(TLV packet)が生成される。なお、ＴＬＶパケットには、ＮＴＰの時刻情報を含むパケットも存在する。なお、図示は省略されているが、ＴＬＶパケットとしては、さらに、オーディオ、字幕などのその他の伝送メディアのＭＰＵパケットを含むＴＬＶパケットも存在する。このＭＭＴ方式放送ストリームは、伝送メディアを含むＩＰパケットをカプセル化した第１の伝送パケットと、時刻情報を含むＩＰパケットをカプセル化した第２の伝送パケットと、さらに、第１の伝送パケット内のＩＰパケットに含まれている伝送メディアの提示時刻情報を含むＩＰパケットをカプセル化した第３の伝送パケットを持つものとなる。
【００６２】
図９は、ＲＴＰ方式による放送送出システム１００の構成例を示している。この放送送出システム１００は、時計部１０１と、信号送出部１０２と、ビデオエンコーダ１０３と、オーディオエンコーダ１０４と、キャプションエンコーダ１０５と、ＴＬＶ（ＧＳＥ）シグナリング発生部１０６を有している。また、この放送送出システム１００は、Ｎ個のＩＰサービス・マルチプレクサ１０７-1〜１０７-Nと、ＴＬＶ（ＧＳＥ）・マルチプレクサ１０８と、変調/送信部１０９を有している。
【００６３】
時計部１０１は、図示しないＮＴＰサーバから取得された時刻情報に同期した時刻情報を生成し、この時刻情報を含むＩＰパケットをＩＰサービス・マルチプレクサ１０７-1に送る。信号送出部１０２は、例えば、ＴＶ局のスタジオとか、ＶＴＲ等の記録再生機であり、伝送メディアとしてのビデオ、オーディオ、字幕などのベースバンド信号を送出するシステムである。
【００６４】
ビデオエンコーダ１０３は、信号送出部１０２から送出されるビデオ信号を符号化し、さらにパケット化して、ビデオのＲＴＰパケットを含むＩＰパケットをＩＰサービス・マルチプレクサ１０７-1に送る。オーディオエンコーダ１０４は、信号送出部１０２から送出されるオーディオ信号を符号化し、さらにパケット化して、オーディオのＲＴＰパケットを含むＩＰパケットをＩＰサービス・マルチプレクサ１０７-1に送る。
【００６５】
キャプションエンコーダ１０５は、信号送出部１０２から送出される字幕信号を符号化し、さらにパケット化して、字幕のＲＴＰパケットを含むＩＰパケットをＩＰサービス・マルチプレクサ１０７-1に送る。なお、ビデオ、オーディオ、字幕の各ＲＴＰパケットのヘッダ部には、時計部１０１で生成される時刻情報に基づいてＰＴＳが付加される。ＩＰサービス・マルチプレクサ１０７-1は、各エンコーダから送られてくるＩＰパケットの時分割多重化を行う。この際、ＩＰサービス・マルチプレクサ１０７-1は、各ＩＰパケットにＵＤＰヘッダおよびＴＬＶヘッダを付加して、ＴＬＶ（ＧＳＥ）パケットとする。
【００６６】
ＩＰサービス・マルチプレクサ１０７-1は、一つのトランスポンダの中にいれる一つのチャネル部分を構成する。ＩＰサービス・マルチプレクサ１０７-2〜１０７-Nは、ＩＰサービス・マルチプレクサ１０７-1と同様の機能を持ち、その一つのトランスポンダの中にいれる他のチャネル部分を構成する。
【００６７】
ＴＬＶ（ＧＳＥ）シグナリング発生部１０６は、シグナリング（Signaling）情報を発生し、このシグナリング（Signaling）情報をペイロード部に配置するＴＬＶ（ＧＳＥ）パケットを生成する。ＴＬＶ（ＧＳＥ）・マルチプレクサ１０８は、ＩＰサービス・マルチプレクサ１０７-1〜１０７-NおよびＴＬＶ（ＧＳＥ）シグナリング発生部１０６で生成されるＴＬＶ（ＧＳＥ）パケットを多重化して、ＲＴＰ方式の放送ストリーム（図６（ｃ）参照）を生成する。変調/送信部１０９は、ＴＬＶ（ＧＳＥ）・マルチプレクサ１０８で生成されるＲＴＰ方式の放送ストリームに対して、ＲＦ変調処理を行って、ＲＦ伝送路に送出する。
【００６８】
図９に示す放送送出システム（ＲＴＰ方式）１００の動作を簡単に説明する。時計部１０１では、ＮＴＰサーバから取得された時刻情報に同期した時刻情報が生成され、この時刻情報を含むＩＰパケットが生成される。このＩＰパケットは、ＩＰサービス・マルチプレクサ１０７-1に送られる。
【００６９】
信号送出部１０２から送出されるビデオ信号は、ビデオエンコーダ１０３に供給される。このビデオエンコーダ１０３では、ビデオ信号が符号化され、さらにパケット化されて、ビデオのＲＴＰパケットを含むＩＰパケットが生成される。このＩＰパケットは、ＩＰサービス・マルチプレクサ１０７-1に送られる。
【００７０】
また、信号送出部１０２から送出されるオーディオ信号、字幕信号に対しても同様の処理が行われる。そして、オーディオエンコーダ１０４で生成されるオーディオのＲＴＰパケットを含むＩＰパケットがＩＰサービス・マルチプレクサ１０７-1に送られ、字幕エンコーダ１０５で生成される字幕のＲＴＰパケットを含むＩＰパケットがＩＰサービス・マルチプレクサ１０７-1に送られる。
【００７１】
ＩＰサービス・マルチプレクサ１０７-1では、各エンコーダから送られてくるＩＰパケットの時分割多重化が行われる。この際、各ＩＰパケットにＵＤＰヘッダおよびＴＬＶヘッダが付加されて、ＴＬＶ（ＧＳＥ）パケットとされる。このＩＰサービス・マルチプレクサ１０７-1では、一つのトランスポンダの中にいれる一つのチャネル部分の処理が行われ、ＩＰサービス・マルチプレクサ１０７-2〜１０７-Nでは、その一つのトランスポンダの中にいれる他のチャネル部分の処理が同様に行われる。
【００７２】
ＩＰサービス・マルチプレクサ１０７-1〜１０７-Nで得られるＴＬＶ（ＧＳＥ）パケットは、ＴＬＶ（ＧＳＥ）・マルチプレクサ１０８に送られる。このＴＬＶ（ＧＳＥ）・マルチプレクサ１０８には、さらに、ＴＬＶ（ＧＳＥ）シグナリング発生部１０６から、シグナリング（Signaling）情報をペイロード部に配置するＴＬＶ（ＧＳＥ）パケットも送られる。
【００７３】
ＴＬＶ（ＧＳＥ）・マルチプレクサ１０８では、ＩＰサービス・マルチプレクサ１０７-1〜１０７-NおよびＴＬＶ（ＧＳＥ）シグナリング発生部１０６で生成されるＴＬＶ（ＧＳＥ）パケットが多重化されて、ＲＴＰ方式の放送ストリームが生成される。この放送ストリームは、変調/送信部１０９に送られる。変調/送信部１０９では、このＲＴＰ方式の放送ストリームに対してＲＦ変調処理を行われ、そのＲＦ変調信号がＲＦ伝送路に送出される。
【００７４】
図１０は、ＭＭＴ方式による放送送出システム１００の構成例を示している。この放送送出システム１００は、時計部１１１と、信号送出部１１２と、ビデオエンコーダ１１３と、オーディオエンコーダ１１４と、キャプションエンコーダ１１５と、シグナリング発生部１１６を有している。また、この放送送出システム１００は、ＴＬＶ（ＧＳＥ）シグナリング発生部１１７と、Ｎ個のＩＰサービス・マルチプレクサ１１８-1〜１１８-Nと、ＴＬＶ（ＧＳＥ）・マルチプレクサ１１９と、変調/送信部１２０を有している。
【００７５】
時計部１１１は、図示しないＮＴＰサーバから取得された時刻情報に同期した時刻情報（ＮＴＰ時刻情報）を生成し、この時刻情報を含むＩＰパケットをＩＰサービス・マルチプレクサ１１８-1に送る。信号送出部１１２は、例えば、ＴＶ局のスタジオとか、ＶＴＲ等の記録再生機であり、伝送メディアとしてのビデオ、オーディオ、字幕などのベースバンド信号を送出するシステムである。
【００７６】
ビデオエンコーダ１１３は、信号送出部１１２から送出されるビデオ信号を符号化し、さらにパケット化して、ビデオのＭＭＴパケットを含むＩＰパケットをＩＰサービス・マルチプレクサ１１８-1に送る。オーディオエンコーダ１１４は、信号送出部１１２から送出されるオーディオ信号を符号化し、さらにパケット化して、オーディオのＭＭＴパケットを含むＩＰパケットをＩＰサービス・マルチプレクサ１１８-1に送る。
【００７７】
キャプションエンコーダ１１５は、信号送出部１１２から送出される字幕信号を符号化し、さらにパケット化して、字幕のＭＭＴパケットを含むＩＰパケットをＩＰサービス・マルチプレクサ１１８-1に送る。また、シグナリング発生部１１６は、シグナリングメッセージを発生し、ペイロード部にこのシグナリングメッセージが配置されたＭＭＴパケットを含むＩＰパケットをＩＰサービス・マルチプレクサ１１８-1に送る。このシグナリングメッセージには、時計部１１１で生成される時刻情報に基づいて生成されたＰＴＳも含まれる。
【００７８】
ＩＰサービス・マルチプレクサ１１８-1は、各エンコーダから送られてくるＩＰパケットの時分割多重化を行う。この際、ＩＰサービス・マルチプレクサ１１８-1は、各ＩＰパケットにＵＤＰヘッダおよびＴＬＶヘッダを付加して、ＴＬＶ（ＧＳＥ）パケットとする。ＩＰサービス・マルチプレクサ１１８-1は、一つのトランスポンダの中にいれる一つのチャネル部分を構成する。ＩＰサービス・マルチプレクサ１１８-2〜１１８-Nは、ＩＰサービス・マルチプレクサ１１８-1と同様の機能を持ち、その一つのトランスポンダの中にいれる他のチャネル部分を構成する。
【００７９】
ＴＬＶ（ＧＳＥ）シグナリング発生部１１７は、シグナリング（Signaling）情報を発生し、このシグナリング（Signaling）情報をペイロード部に配置するＴＬＶ（ＧＳＥ）パケットを生成する。ＴＬＶ（ＧＳＥ）・マルチプレクサ１１９は、ＩＰサービス・マルチプレクサ１１８-1〜１１８-NおよびＴＬＶ（ＧＳＥ）シグナリング発生部１１７で生成されるＴＬＶ（ＧＳＥ）パケットを多重化して、ＭＭＴ方式の放送ストリーム（図８（ｅ）参照）を生成する。変調/送信部１２０は、ＴＬＶ（ＧＳＥ）・マルチプレクサ１１９で生成されるＭＭＴ方式の放送ストリームに対して、ＲＦ変調処理を行って、ＲＦ伝送路に送出する。
【００８０】
図１０に示す放送送出システム（ＭＭＴ方式）１００の動作を簡単に説明する。時計部１１１では、ＮＴＰサーバから取得された時刻情報に同期した時刻情報が生成され、この時刻情報を含むＩＰパケットが生成される。このＩＰパケットは、ＩＰサービス・マルチプレクサ１１８-1に送られる。
【００８１】
信号送出部１１２から送出されるビデオ信号は、ビデオエンコーダ１１３に供給される。このビデオエンコーダ１１３では、ビデオ信号が符号化され、さらにパケット化されて、ビデオのＭＭＴパケットを含むＩＰパケットが生成される。このＩＰパケットは、ＩＰサービス・マルチプレクサ１１８-1に送られる。
【００８２】
また、信号送出部１１２から送出されるオーディオ信号、字幕信号に対しても同様の処理が行われる。そして、オーディオエンコーダ１１４で生成されるオーディオのＭＭＴパケットを含むＩＰパケットがＩＰサービス・マルチプレクサ１１８-1に送られ、字幕エンコーダ１１５で生成される字幕のＭＭＴパケットを含むＩＰパケットがＩＰサービス・マルチプレクサ１１８-1に送られる。
【００８３】
また、シグナリング発生部１１６では、シグナリングメッセージ（ＰＴＳも含まれる）が発生され、ペイロード部にこのシグナリングメッセージが配置されたＭＭＴパケットを含むＩＰパケットが生成される。このＩＰパケットは、ＩＰサービス・マルチプレクサ１１８-1に送られる。
【００８４】
ＩＰサービス・マルチプレクサ１１８-1では、各エンコーダおよびシグナリング発生部１１６から送られてくるＩＰパケットの時分割多重化が行われる。この際、各ＩＰパケットにＵＤＰヘッダおよびＴＬＶヘッダが付加されて、ＴＬＶ（ＧＳＥ）パケットとされる。このＩＰサービス・マルチプレクサ１１８-1では、一つのトランスポンダの中にいれる一つのチャネル部分の処理が行われ、ＩＰサービス・マルチプレクサ１１８-2〜１１８-Nでは、その一つのトランスポンダの中にいれる他のチャネル部分の処理が同様に行われる。
【００８５】
ＩＰサービス・マルチプレクサ１１８-1〜１１８-Nで得られるＴＬＶ（ＧＳＥ）パケットは、ＴＬＶ（ＧＳＥ）・マルチプレクサ１１９に送られる。このＴＬＶ（ＧＳＥ）・マルチプレクサ１１９には、さらに、ＴＬＶ（ＧＳＥ）シグナリング発生部１１７から、シグナリング（Signaling）情報をペイロード部に配置するＴＬＶ（ＧＳＥ）パケットも送られる。
【００８６】
ＴＬＶ（ＧＳＥ）・マルチプレクサ１１９では、ＩＰサービス・マルチプレクサ１１８-1〜１１８-NおよびＴＬＶ（ＧＳＥ）シグナリング発生部１１７で生成されるＴＬＶ（ＧＳＥ）パケットが多重化されて、ＭＭＴ方式の放送ストリームが生成される。この放送ストリームは、変調/送信部１２０に送られる。変調/送信部１２０では、このＭＭＴ方式の放送ストリームに対してＲＦ変調処理を行われ、そのＲＦ変調信号がＲＦ伝送路に送出される。
【００８７】
図１１は、受信機２００の構成例を示している。この受信機２００は、チューナ/復調部２０１と、ＴＬＶ（ＧＳＥ）・デマルチプレクサ２０２と、時計部２０３と、ビデオデコーダ２０４と、オーディオデコーダ２０５と、キャプションデコーダ２０６と、システム制御部２０７と、合成部２０８を有している。
【００８８】
チューナ/復調部２０１は、ＲＦ変調信号を受信し、復調処理を行って、ＲＴＰ方式あるいはＭＭＴ方式の放送ストリーム（図６（ｃ）、図８（ｅ）参照）を得る。ＴＬＶ（ＧＳＥ）・デマルチプレクサ２０２は、この放送ストリームに対して、デマルチプレクス処理およびデパケット化処理を行って、ＮＴＰ時刻情報、ＰＴＳ、シグナリング情報、さらにはビデオ、オーディオ、キャプションの符号化信号を出力する。
【００８９】
システム制御部２０７は、ＴＬＶ（ＧＳＥ）・デマルチプレクサ２０２で得られるシグナリング情報、ＰＴＳなどに基づき、受信機２００の各部を制御する。時計部２０３は、ＴＬＶ（ＧＳＥ）・デマルチプレクサ２０２で得られるＮＴＰ時刻情報に基づき、この時刻情報に同期した時刻情報を発生する。
【００９０】
ビデオデコーダ２０４は、ＴＬＶ（ＧＳＥ）・デマルチプレクサ２０２で得られる符号化ビデオ信号の復号化を行ってベースバンドのビデオ信号を得る。オーディオデコーダ２０５は、ＴＬＶ（ＧＳＥ）・デマルチプレクサ２０２で得られる符号化オーディオ信号の復号化を行ってベースバンドのオーディオ信号を得る。さらに、キャプションデコーダ２０６は、ＴＬＶ（ＧＳＥ）・デマルチプレクサ２０２で得られる符号化字幕信号の復号化を行って、字幕の表示信号を得る。
【００９１】
システム制御部２０７は、各デコーダにおけるデコードタイミングをＰＴＳ（提示時刻情報）に基づいて制御し、ビデオ、オーディオ、字幕の提示タイミングを調整する。合成部２０８は、ベースバンドのビデオ信号に字幕の表示信号を合成し、映像表示用のビデオ信号を得る。なお、オーディオデコーダ２０５で得られるベースバンドのオーディオ信号は、音声出力用のオーディオ信号となる。
【００９２】
図１１に示す受信機２００の動作を簡単に説明する。チューナ/復調部２０１では、ＲＦ伝送路を通じて送られてくるＲＦ変調信号が受信され、復調処理が行われて、ＲＴＰ方式あるいはＭＭＴ方式の放送ストリーム（図６（ｃ）、図８（ｅ）参照）が得られる。この放送ストリームは、ＴＬＶ（ＧＳＥ）・デマルチプレクサ２０２に送られる。
【００９３】
このＴＬＶ（ＧＳＥ）・デマルチプレクサ２０２では、この放送ストリームに対して、デマルチプレクス処理およびデパケット化処理が行われ、ＮＴＰ時刻情報、ＰＴＳ、シグナリング情報、さらにはビデオ、オーディオ、キャプションの符号化信号が抽出される。
【００９４】
ＴＬＶ（ＧＳＥ）・デマルチプレクサ２０２で抽出されるＮＴＰ時刻情報は、時計部２０３に送られる。この時計部２０３では、このＮＴＰ時刻情報に基づき、この時刻情報に同期した時刻情報が生成される。つまり、この時計部２０３では、放送送出システム１００の時計部１０１，１１１で生成される時刻情報に合った時刻情報が再生される。
【００９５】
ＴＬＶ（ＧＳＥ）・デマルチプレクサ２０２で抽出される符号化ビデオ信号はビデオデコーダ２０４に送られて復号化され、ベースバンドのビデオ信号が得られる。また、ＴＬＶ（ＧＳＥ）・デマルチプレクサ２０２で抽出される符号化字幕信号はキャプションデコーダ２０６に送られて復号化され、字幕表示信号が得られる。そして、これらのビデオ信号および字幕表示信号が合成部２０８で合成され、映像表示用のビデオ信号が得られる。
また、ＴＬＶ（ＧＳＥ）・デマルチプレクサ２０２で抽出される符号化オーディオ信号はオーディオデコーダ２０５に送られて復号化され、音声出力用のベースバンドのオーディオ信号が得られる。
【００９６】
また、ＴＬＶ（ＧＳＥ）・デマルチプレクサ２０２で抽出されるＰＴＳやシグナリング情報は、システム制御部２０７に送られる。システム制御部２０７では、このシグナリング情報、ＰＴＳなどに基づき、受信機２００の各部を制御することが行われる。この場合、例えば、ＰＴＳと、時計部２０３で発生される時刻情報に基づいて、各デコーダにおけるデコードタイミングが調整され、ビデオ、オーディオ、字幕の提示タイミングも調整される。
【００９７】
ここで、ＮＴＰ（Network Time Protocol）について説明する。ＮＴＰは、ＩＴＵ（International Telecommunication Union）でインターネットの標準として規定されているプロトコルである。パーソナルコンピュータ、スマートフォンなどのクライアントからＮＴＰプロトコルによりＮＴＰサーバにアクセスすることで、時刻情報を得ることができる。
【００９８】
図１２（ａ）に示すように、ＮＴＰサーバには、階層（Stratum）が存在し、番号が若いほど高精度となっている。例えば、階層１（Stratum 1）のＮＴＰサーバは原子時計と直結していて、時刻情報の誤差は１μs未満である。ＮＴＰサーバが提供する時刻情報は、１９００年１月１日からの積算秒数（ＵＴＣ：Coordinated Universal Time）で表現されている。
【００９９】
図１２（ｂ）は、ＮＴＰサーバが提供する時刻情報のフォーマット（NTP time stamp format）を示している。この時刻情報は、６４ビットフォーマットであり、上位３２ビットはＵＴＣの積算秒数を示し、下位３２ビットは秒未満を示している。
【０１００】
パーソナルコンピュータ、スマートフォンなどのクライアントからＮＴＰプロトコルでＮＴＰサーバにアクセスして時刻情報を取得するときには、どの階層のＮＴＰサーバにサクセスするか不明である。そのため、複数のＮＴＰサーバに同期アクセスして平均値を取ることで、ばらつきを抑え、より正確な時刻情報を得るようになされる。
【０１０１】
図１３、図１４は、ＲＴＰ方式におけるクロック同期・提示同期方式を示している。図１３は、放送送出システム１００側の構成例を示している。図１４は、受信機２００側の構成例を示している。
【０１０２】
最初に、図１３を参照して、放送送出システム１００側の構成例を説明する。この放送送出システム１００は、ＮＴＰ/ＩＰインタフェース１３１と、３２ビットレジスタ１３２ａ，１３２ｂを有している。また、この放送送出システム１００は、２７ＭＨｚのクロック（システムクロック）を生成する電圧制御発振器１３３と、時計部を構成する９ビットカウンタ１３４ａ、１７ビットカウンタ１３４ｂおよび３２ビットカウンタ１３４ｃと、ビット変換部１３５と、比較器１３６を有している。また、この放送送出システム１００は、パケット化部１３７と、ビデオエンコード処理部１３８と、パケット化/タイムスタンプ付加部１３９と、エンコードバッファ１４０と、マルチプレクサ１４１を有している。
【０１０３】
ＮＴＰ/ＩＰインタフェース１３１により、インターネット経由で図示しないＮＴＰサーバに所定の時間間隔でアクセスされ、６４ビットフォーマットの時刻情報（図１２（ｂ）参照）が取得される。３２ビットレジスタ１３２ａ，１３２ｂでは、ＮＴＰ/ＩＰインタフェース１３１で取得される６４ビットフォーマットの時刻情報が保持される。３２ビットレジスタ１３２ａには上位３２ビットのビットデータが保持され、３２ビットレジスタ１３２ｂには下位３２ビットのビットデータが保持される。３２ビットレジスタ１３２ａ，１３２ｂの保持内容は、ＮＴＰ/ＩＰインタフェース１３１で６４ビットフォーマットの時刻情報を取得する毎に更新される。
【０１０４】
ここで時刻情報を取得する頻度が十分高い場合にはこのままの構成でよいが、低い場合にはレジスタ１３２ａ，１３２ｂはＮＴＰサーバの時計を再現するように自動的に時刻を示すカウンタとして継続動作することも考えられる。ここで、取得した時刻情報の下位３２ビットを示すレジスタ１３２ｂの出力がオール０となった時点で、時刻情報の上位３２ビットを示すレジスタ１３２ａの出力を３２ビットカウンタ１３４ｃの初期値としてセットし、かつ１７ビットカウンタ１３４ｂと９ビットカウンタ１３４ａをそれぞれオール０にセットする。この設定動作は放送送出システム１００が動作開始する１回のみに限定される。
【０１０５】
電圧制御発振器１３３では、２７ＭＨｚのクロック（システムクロック）が発生される。９ビットカウンタ１３４ａでは、電圧制御発振器１３３から出力される２７ＭＨｚのクロックがカウントされて、３００分周され、９０ＫＨｚのクロックが出力される。１７ビットカウンタ１３４ｂでは、９ビットカウンタ１３４ａから出力される９０ＫＨｚのクロックがカウントされて、９００００分周されて、１Ｈｚのクロックが出力される。３２ビットカウンタ１３４ｃでは、１７ビットカウンタ１３４ｂから出力される１Ｈｚのクロックがカウントされて、秒精度の時刻情報（Regenerated UTC）である３２ビットのビット出力が得られる。
【０１０６】
９ビットカウンタ１３４ａ、１７ビットカウンタ１３４ｂおよび３２ビットカウンタ１３４ｃの５８ビットのビット出力は、初期値からの上記カウンタ動作により、時刻情報としてのシステム・タイム・クロック（ＳＴＣ：System Time Clock）となる。このシステム・タイム・クロックはビット変換部１３５に入力される。このビット変換部１３５では、例えば変換テーブルが使用されるなどして、９ビットカウンタ１３４ａおよび１７ビットカウンタ１３４ｂのビット出力が、３２ビットカウンタ１３４ｃのビット出力の下位に連続する３２ビット出力に変換される。この変換は、ＮＴＰサーバから取得される６４ビットフォーマットの時刻情報の下位３２ビットのビット出力に対応させるために行われる。ビット変換部１３５では、このように変換された３２ビット出力と３２ビットカウンタ１３４ｃのビット出力とを合わせた６４ビット出力が得られる。
【０１０７】
比較器１３６では、３２ビットレジスタ１３２ａ，１３２ｂの保持内容が更新されるタイミングでビット変換部１３５からの６４ビットのビット出力がラッチされ、レジスタ保持内容、つまりＮＴＰサーバから取得された６４ビットフォーマットの時刻情報と比較される。そして、比較器１３６から電圧制御発振器１３３に、比較誤差信号が制御信号として供給される。
【０１０８】
ここで、電圧制御発振器１３３、カウンタ１３４ａ，１３４ｂ，１３４ｃ、ビット変換部１３４および比較器１３６により、ＰＬＬ（Phase Locked Loop）回路が構成される。そのため、電圧制御発振器１３３では、ＮＴＰサーバから取得された６４ビットフォーマットの時刻情報に同期した２７ＭＨｚのクロック（システムクロック）が生成される。また、カウンタ１３４ａ，１３４ｂ，１３４ｃでは、この２７ＭＨｚのクロックの周波数情報を含み、ＮＴＰサーバから取得された６４ビットフォーマットの時刻情報に同期した、５８ビットの時刻情報が生成される。
【０１０９】
この５８ビットの時刻情報は、パケット化部１３７に供給される。パケット化部１３７では、この５８ビットの時刻情報に基づき、２７ＭＨｚのクロックの周波数情報を持つＮＴＰ・クロック・リファレンス（ＮＴＰ_ＣＲ：NTP Clock Reference）を含むＩＰパケットが生成される。図１５（ａ）は、このＮＴＰ・クロック・リファレンスの構成を示している。
【０１１０】
ビデオエンコード処理部１３８では、電圧制御発振器１３３で得られる２７ＭＨｚのクロックに同期して、ビデオ（ビデオデータ）が符号化される。パケット化/タイムスタンプ付加部１３９では、符号化後のビデオのエレメンタリストリームが所定の大きさの固まりに分割され、それぞれの固まりをペイロード部に含むＲＴＰパケット（RTP packet）が生成される。このＲＴＰパケットは、エンコードバッファ１４０を通じてマルチプレクサ１４１に供給される。
【０１１１】
このパケット化/タイムスタンプ付加部１３９には、３２ビットカウンタ１３４ｃの下位１５ビットのビット出力と、１７ビットカウンタ１３４ｂの１７ビットのビット出力が供給される。パケット化/タイムスタンプ付加部１３９では、この３２ビットのビット出力に基づいて、例えば、ビデオエンコード処理部１３８から出力されるビデオの各ピクチャの符号化データに対応させて提示時刻情報（ＰＴＳ）としての３２ビットのタイムスタンプ（Timestamp）を発生される。
【０１１２】
このタイムスタンプの値は、例えば、ビデオエンコード処理部１３８からのピクチャ出力タイミングの時刻情報に、エンコードバッファおよびデコードバッファによる固定遅延量を加算した値とされる。パケット化/タイムスタンプ付加部１３９では、この提示時刻情報（ＰＴＳ）としてのタイムスタンプ（Timestamp）が各ＲＴＰパケットのヘッダに挿入される。図１５（ｂ）は、このタイムスタンプの構成を示している。
【０１１３】
マルチプレクサ１４１には、上述したように、ＮＴＰ・クロック・リファレンスを含むＩＰパケットおよび符号化ビデオを含むＲＴＰパケットが供給される。なお、図示は省略されているが、符号化オーディオなどを含むＲＴＰパケットも、符号化ビデオを含むＲＴＰパケットと同様に生成され、マルチプレクサ１４１に供給される。マルチプレクサ１４１では、各パケットにさらに必要なヘッダが付加され、ＲＴＰ方式の放送ストリームが生成される。このＲＴＰ方式の放送ストリームが放送信号として送信される。
【０１１４】
次に、図１４を参照して、受信機２００側の構成例を説明する。この受信機２００は、デマルチプレクサ２３１と、２７ＭＨｚのクロック（システムクロック）を生成する電圧制御発振器２３２と、時計部を構成する９ビットカウンタ２３３ａ、１７ビットカウンタ２３３ｂおよび３２ビットカウンタ２３３ｃと、比較器２３４を有している。また、この受信機２００は、デコードバッファ２３５と、デパケット化部２３６と、提示制御部２３７と、ビデオデコード処理部２３８を有している。
【０１１５】
デマルチプレクサ２３１には、受信放送信号であるＲＴＰ方式の放送ストリーム（図６（ｃ）参照）が供給される。デマルチプレクサ２３１では、ＮＴＰ・クロック・リファレンス（ＮＴＰ_ＣＲ）を含むＩＰパケットからＮＴＰ_ＣＲが抽出される。選局時や電源投入時において、最初に受信した５８ビットのＮＴＰ＿ＣＲ はカウンタ２３３a、カウンタ２３３ｂおよびカウンタ２３３ｃからなる５８ビットのカウンタに初期値としてセットされる、その後に受信したこのＮＴＰ_ＣＲは、比較器２３４に供給される。
【０１１６】
また、電圧制御発振器２３２で生成される２７ＭＨｚのクロックは９ビットカウンタ２３３ａでカウントされ、３００分周される。この９ビットカウンタ２３３ａで得られる９０ＫＨｚのクロックは１７ビットカウンタ２３３ｂでカウントされ、９００００分周される。そして、この１７ビットカウンタ２３３ｂで得られる１Ｈｚのクロックは３２ビットカウンタ２３３ｃでカウントされる。３２ビットカウンタ２３３ｃでは、秒精度の時刻情報（Regenerated UTC）である３２ビットのビット出力が得られる。
【０１１７】
９ビットカウンタ２３３ａ、１７ビットカウンタ２３３ｂおよび３２ビットカウンタ２３３ｃの５８ビットのビット出力は、時刻情報としてのシステム・タイム・クロック（ＳＴＣ：System Time Clock）となる。このシステム・タイム・クロックは、比較器２３４に供給される。比較器２３４では、例えば、デマルチプレクサ２３１からＮＴＰ_ＣＲが供給されるタイミングで、システム・タイム・クロックがラッチされ、ＮＴＰ_ＣＲと比較される。
【０１１８】
この比較器２３４から出力される比較誤差信号は、電圧制御発振器２３２に制御信号として供給される。ここで、電圧制御発振器２３２、カウンタ２３３ａ，２３３ｂ，２３３ｃおよび比較器２３４により、ＰＬＬ（Phase Locked Loop）回路が構成される。そのため、電圧制御発振器２３２ではＮＴＰ_ＣＲに同期した２７ＭＨｚのクロックが生成される。この２７ＭＨｚのクロックの周波数は、上述し放送送出システム１００の電圧制御発振器１３３で生成されるクロックの周波数と等しくなり、クロック同期が実現される。
【０１１９】
また、カウンタ２３３ａ，２３３ｂ，２３３ｃでは、ＮＴＰ_ＣＲに同期したシステム・タイム・クロックが生成される。このシステム・タイム・クロックは、上述した放送送出システム１００のカウンタ１３４ａ，１３４ｂ，１３４ｃで生成されるシステム・タイム・クロックと合ったものとなる。そのため、上述したように、ＲＴＰ方式の放送ストリームではビデオ、オーディオなどの伝送メディアを含むＲＴＰパケットのヘッダに提示時刻情報としてのタイムスタンプが挿入されていることと相まって、提示同期が実現される。
【０１２０】
また、デマルチプレクサ２３１では、符号化ビデオを含むＲＴＰパケットが抽出され、デコードバッファ２３５に一時的に蓄積される。また、３２ビットカウンタ２３３ｃの下位１５ビットのビット出力と、１７ビットカウンタ２３３ｂの１７ビットのビット出力が、提示制御部２３７に供給される。
【０１２１】
提示制御部２３７では、デパケット化部２３６を通じて、デコードバッファ２３５に蓄積されている各ＲＴＰパケットのヘッダ部に挿入されている提示時刻情報（ＰＴＳ）としてのタイムスタンプが確認される。そして、提示制御部２３７では、システム・タイム・クロックを参照し、デコード処理すべきＲＴＰパケットをデコードバッファ２３５からデパケット化部２３６を通じてビデオデコード処理部２３８に順次取り込むことが行われる。
【０１２２】
ビデオデコード処理部２３８では、符号化ビデオの復号化が行われ、ベースバンドのビデオデータが得られる。そして、受信機２００では、このビデオデータによる映像表示が行われる。なお、図示は省略されているが、デマルチプレクサ２３１では、符号化オーディオを含むＲＴＰパケットも抽出され、上述のビデオの場合と同様に処理されてベースバンドのオーディオデータが得られ、音声出力が行われる。
【０１２３】
図１６、図１７は、ＭＭＴ方式におけるクロック同期・提示同期方式を示している。図１６は、放送送出システム１００側の構成例を示している。図１７は、受信機２００側の構成例を示している。
【０１２４】
最初に、図１６を参照して、放送送出システム１００側の構成例を説明する。この図１６において、図１３と対応する部分には同一符号を付し、適宜、その詳細説明は省略する。この放送送出システム１００は、ＮＴＰ/ＩＰインタフェース１３１と、３２ビットレジスタ１３２ａ，１３２ｂを有している。また、この放送送出システム１００は、２７ＭＨｚのクロック（システムクロック）を生成する電圧制御発振器１３３と、時計部を構成する９ビットカウンタ１３４ａ、１７ビットカウンタ１３４ｂおよび３２ビットカウンタ１３４ｃと、ビット変換部１３５と、比較器１３６を有している。また、この放送送出システム１００は、パケット化部１３７と、ビデオエンコード処理部１３８と、パケット化部１５１と、タイムスタンプ発生部１５２と、パケット化部１５３と、エンコードバッファ１４０と、マルチプレクサ１４１を有している。
【０１２５】
上述の図１３に示す放送送出システム１００と同様に、ＮＴＰ/ＩＰインタフェース１３１で取得した時刻情報の下位３２ビットを示すレジスタ１３２ｂの出力がオール０となった時点で、時刻情報の上位３２ビットを示すレジスタ１３２ａの出力を３２ビットカウンタ１３４ｃの初期値としてセットし、かつ１７ビットカウンタ１３４ｂと９ビットカウンタ１３４ａをそれぞれオール０にセットする。この設定動作は放送送出システム１００が動作開始する１回のみに限定される。
【０１２６】
電圧制御発振器１３３、カウンタ１３４ａ，１３４ｂ，１３４ｃ、ビット変換部１３４および比較器１３６により、ＰＬＬ（Phase Locked Loop）回路が構成される。そのため、電圧制御発振器１３３では、ＮＴＰサーバから取得された６４ビットフォーマットの時刻情報に同期した２７ＭＨｚのクロック（システムクロック）が生成される。また、カウンタ１３４ａ，１３４ｂ，１３４ｃでは、この２７ＭＨｚのクロックの周波数情報を含み、ＮＴＰサーバから取得された６４ビットフォーマットの時刻情報に同期した、５８ビットの時刻情報が生成される。
【０１２７】
この５８ビットの時刻情報は、パケット部１３７に供給される。パケット化部１３７では、この５８ビットの時刻情報に基づき、２７ＭＨｚのクロックの周波数情報を持つＮＴＰ・クロック・リファレンス（ＮＴＰ_ＣＲ：NTP Clock Reference）を含むＩＰパケットが生成される。図１８（ａ）は、このＮＴＰ・クロック・リファレンスの構成を示している。
【０１２８】
ビデオエンコード処理部１３８では、電圧制御発振器１３３で得られる２７ＭＨｚのクロックに同期して、ビデオ（ビデオデータ）が符号化される。パケット化部１５１では、符号化後のビデオのエレメンタリストリームが所定の大きさの固まりに分割され、それぞれの固まりをペイロード部に含むＭＭＴパケット（MMT packet）が生成される。このＭＭＴパケットは、エンコードバッファ１４０を通じてマルチプレクサ１４１に供給される。
【０１２９】
タイムスタンプ発生部１５２には、３２ビットカウンタ１３４ｃの３２ビット出力と１７ビットカウンタ１３４ｂの１７ビット出力、あるいは３２ビットカウンタ１３４ｃの下位１５ビットのビット出力と、１７ビットカウンタ１３４ｂの１７ビット出力が供給される。
【０１３０】
タイムスタンプ発生部１５２では、例えば、ビデオエンコード処理部１３８から出力されるビデオの各ピクチャの符号化データに対応させて提示時刻情報（ＰＴＳ）としての４９ビットあるいは３２ビットのタイムスタンプ（Timestamp）を発生される。図１８（ｂ）は、このタイムスタンプの構成を示している。このタイムスタンプの値は、例えば、ビデオエンコード処理部１３８からのピクチャ出力タイミングの時刻情報に、エンコードバッファおよびデコードバッファによる固定遅延量を加算した値とされる。
【０１３１】
タイムスタンプ発生部１５２で発生される提示時刻情報（ＰＴＳ）としてのタイムスタンプ（Timestamp）は、パケット化部１５３に供給される。パケット化部１５３では、このタイムスタンプをペイロード部に含むＭＭＴパケットが生成される。このＭＭＴパケットは、マルチプレクサ１４１に供給される。
【０１３２】
マルチプレクサ１４１には、上述したように、ＮＴＰ・クロック・リファレンスを含むＩＰパケット、符号化ビデオを含むＭＭＴパケットおよびタイムスタンプ（Timestamp）を含むＭＭＴパケットが供給される。なお、図示は省略されているが、符号化オーディオなどを含むＭＭＴパケットも、符号化ビデオを含むＭＭＴパケットと同様に生成され、マルチプレクサ１４１に供給される。マルチプレクサ１４１では、各パケットにさらに必要なヘッダが付加され、ＭＭＴ方式の放送ストリームが生成される。このＭＭＴ方式の放送ストリームが放送信号として送信される。
【０１３３】
次に、図１７を参照して、受信機２００側の構成例を説明する。この図１７において、図１４と対応する部分には同一符号を付し、適宜、その詳細説明は省略する。この受信機２００は、デマルチプレクサ２３１と、２７ＭＨｚのクロック（システムクロック）を生成する電圧制御発振器２３２と、時計を構成する９ビットカウンタ２３３ａ、１７ビットカウンタ２３３ｂおよび３２ビットカウント２３３ｃと、比較器２３４を有している。また、この受信機２００は、デコードバッファ２３５と、デパケット化部２５１と、提示制御部２３７と、ビデオエンコード処理部２３８を有している。
【０１３４】
デマルチプレクサ２３１には、受信放送信号であるＲＴＰ方式の放送ストリーム（図７（ｃ）参照）が供給される。デマルチプレクサ２３１では、ＮＴＰ・クロック・リファレンス（ＮＴＰ_ＣＲ）を含むＩＰパケットからＮＴＰ_ＣＲが抽出される。選局時や電源投入時において、最初に受信した５８ビットのＮＴＰ＿ＣＲ はカウンタ２３３a、カウンタ２３３ｂおよびカウンタ２３３ｃからなる５８ビットのカウンタに初期値としてセットされる、その後に受信したこのＮＴＰ_ＣＲは、比較器２３４に供給される。
【０１３５】
電圧制御発振器２３２、カウンタ２３３ａ，２３３ｂ，２３３ｃおよび比較器２３４により、ＰＬＬ（Phase Locked Loop）回路が構成される。そのため、電圧制御発振器２３２ではＮＴＰ_ＣＲに同期した２７ＭＨｚのクロックが生成される。この２７ＭＨｚのクロックの周波数は、上述し放送送出システム１００の電圧制御発振器１３３で生成されるクロックの周波数と等しくなり、クロック同期が実現される。
【０１３６】
また、カウンタ２３３ａ，２３３ｂ，２３３ｃでは、ＮＴＰ_ＣＲに同期したシステム・タイム・クロックが生成される。このシステム・タイむ・クロックは、上述した放送送出システム１００のカウンタ１３４ａ，１３４ｂ，１３４ｃで生成されるシステム・タイム・クロックと合ったものとなる。そのため、上述したように、ＭＭＴ方式の放送ストリームではビデオ、オーディオなどの伝送メディアの提示時刻情報（ＰＴＳ）としてのタイムスタンプ（Timestamp）を含むＭＭＴパケットが挿入されていることと相まって、提示同期が実現される。
【０１３７】
デマルチプレクサ２３１で抽出される符号化ビデオを含むＭＭＴパケットは、デコードバッファ２３５に一時的に蓄積される。また、３２ビットカウンタ１３４ｃの３２ビット出力と１７ビットカウンタ１３４ｂの１７ビット出力、あるいは３２ビットカウンタ１３４ｃの下位１５ビットのビット出力と、１７ビットカウンタ１３４ｂの１７ビット出力が、システム・タイム・クロックとして提示制御部２３７に供給される。
【０１３８】
提示制御部２３７では、デパケット化部２５１を通じて、デコードバッファ２３５に蓄積されている提示時刻情報（ＰＴＳ）としてのタイムスタンプ（Timestamp）を含むＭＭＴパケットに基づいて、符号化ビデオを含む各ＭＭＴパケットの提示時刻が確認される。提示制御部２３７では、システム・タイム・クロックを参照し、デコード処理すべきＭＭＴパケットをデコードバッファ２３５からデパケット化部２５１を通じてビデオデコード処理部２３８に順次取り込むことが行われる。
【０１３９】
ビデオデコード処理部２３８では、符号化ビデオの復号化が行われ、ベースバンドのビデオデータが得られる。そして、受信機２００では、このビデオデータによる映像表示が行われる。なお、図示は省略されているが、デマルチプレクサ２３１では、符号化オーディオを含むＭＭＴパケットも抽出され、上述のビデオの場合と同様に処理されてベースバンドのオーディオデータが得られ、音声出力が行われる。
【０１４０】
上述したように、図１に示す送受信システム１０においては、ＩＰ方式の放送信号（例えば、ＲＴＰ方式の放送ストリーム、ＭＭＴ方式の放送ストリームなど）にＮＴＰサーバから取得された時刻情報に同期した２７ＭＨｚのクロックの周波数情報を含む時刻情報（ＮＴＰ_ＣＲ）が含まれるものである。そのため、受信側では、この時刻情報に基づいて送信側と同様の２７ＭＨｚのクロック（システムクロック）を生成でき、クロック同期を実現できる。
【０１４１】
また、図１に示す送受信システム１０においては、ＩＰ方式の放送信号にさらにＮＴＰサーバから取得された時刻情報に同期した時刻情報（システム・タイム・クロック）に基づいて得られた伝送メディアの提示単位毎の提示時刻情報（ＰＴＳ）が含まれるものである。そのため、受信側では、送信信号に含まれる時刻情報に同期して生成された２７ＭＨｚのクロックの周波数情報を含む時刻情報（システム・タイム・クロック）と、伝送メディアの提示単位毎の提示時刻情報（ＰＴＳ）とに基づき、提示同期を実現できる。
【０１４２】
また、図１に示す送受信システム１０においては、放送送出システム１００および受信機２００のシステム・タイム・クロック（ＳＴＣ）は、ＮＴＰの時刻情報に合ったものとなる。そのため、例えば、受信側において、複数の経路を通って得られたビデオを用いて１つの画面を構成することなどをたやすく行い得るようになる。
【０１４３】
＜２．変形例＞
なお、上述実施の形態において、受信機２００で受信されるＩＰ方式の放送信号は、ＮＴＰサーバから取得された時刻情報そのものではなく、その時刻情報に同期した２７ＭＨｚのクロックの周波数情報を含む時刻情報（ＮＴＰ_ＣＲ）を有するものとして説明した。しかし、受信機２００で受信されるＩＰ方式の放送信号として、ＮＴＰサーバから取得された時刻情報そのものを含む場合も考えられる。
【０１４４】
図１９（ａ）は、ＮＴＰサーバから取得された６４ビットフォーマットの時刻情報の構成を示している。また、図１９（ｂ）は、ＮＴＰ_ＣＲの構成を示している。なお、このＮＴＰ_ＣＲの構成では、９ビット出力の下位に６ビットのオール０のデータが付加され、全体として６４ビットフォーマットとされている。このように、ＮＴＰサーバから取得された６４ビットフォーマットの時刻情報は、ＮＴＰ_ＣＲとは、異なるビット構成となっている。
【０１４５】
そのため、ＩＰ方式の放送信号に時刻情報としてＮＴＰサーバから取得された６４ビットフォーマットの時刻情報が含まれる場合、上述した受信機２００（図１４、図１７参照）のＰＬＬ回路は正常に動作しなくなる。そこで、例えば、ＭＭＴ方式の場合には、シグナリング情報として、放送信号に含まれる時刻情報がＮＴＰサーバから取得された６４ビットフォーマットの時刻情報であるか、あるいはＮＴＰ_ＣＲであるかを識別する識別情報（フラグ情報）を含めることができる。そして、受信側では、この識別情報に基づいて、ＰＬＬ回路部分の動作を切り替えて、誤動作の防止を図ることが可能となる。
【０１４６】
図２０は、その場合における受信機２００の構成例を示している。この図２０において、図１７と対応する部分には同一符号を付して示している。セレクタ２６１は、識別情報がＮＴＰ_ＣＲであることを示す場合、比較器２３４から出力される比較誤差信号を電圧制御発振器２３２に制御信号として送る。この場合には、図１７と同様の構成となり、電圧制御発振器２３２はＰＬＬ回路によりＮＴＰ_ＣＲに同期した２７ＭＨｚのクロックを生成するようになる。一方、識別情報がＮＴＰサーバから取得された６４ビットフォーマットの時刻情報であることを示す場合、セレクタ２６１は、固定値を電圧制御発振器２３２に制御信号として送る。この場合、電圧制御発振器２３２はフリーラン状態となる。
【０１４７】
また、セレクタ２６３は、識別情報がＮＴＰ_ＣＲであることを示す場合、電圧制御発振器２３２により動作するカウンタのうち、カウンタ２３３ｃ，２３３ｂの出力４９ビットを提示制御部２３７へ送る。一方、セレクタ２６３は、識別情報がＮＴＰサーバから取得された６４ビットフォーマットの時刻情報であることを示す場合、受信したＮＴＰデータをラッチした６４ビットレジスタ２６１ａ．２６１ｂの出力のうち上位４９ビットを提示制御部２３７へ送る。
【０１４８】
この変形例においては、カウンタ２３３ａ、カウンタ２３３ｂ、２３３ｃの初期値を与える場合、選局時や電源投入時において、受信した図１９（ａ），（ｂ）の６４ビットのＮＴＰデータのうち下位３２ビットの出力がオール０となった時点で、時刻情報の上位３２ビットの出力を３２ビットカウンタ２３３ｃの初期値としてセットし、かつ１７ビットカウンタ２３３ｂと９ビットカウンタ２３３ａをそれぞれオール０にセットする。
【０１４９】
また、上述実施の形態においては、ＩＰ方式の放送信号に、ＮＴＰサーバから取得された６４ビットフォーマットの時刻情報そのものではなく、その時刻情報に同期した２７ＭＨｚのクロックの周波数情報を含む時刻情報（ＮＴＰ_ＣＲ）が含まれる場合を示している。しかし、ＩＰ方式の放送信号にＮＴＰサーバから取得された６４ビットフォーマットの時刻情報を含め、受信側では、その時刻情報に基づいて、送信側と同じ周波数の２７ＭＨｚのクロックを生成すると共に、送信側のシステム・タイム・クロックに合ったシステム・タイム・クロックを生成することも考えられる。
【０１５０】
図２１、図２２は、その場合におけるクロック同期・提示同期方式の一例を示している。図２１は、放送送出システム１００側の構成例を示している。図２２は、受信機２００側の構成例を示している。なお、ここでは、ＭＭＴ方式について説明する。説明は省略するが、ＲＴＰ方式においても同様である。
【０１５１】
最初に、図２１を参照して、放送送出システム１００側の構成例を説明する。この図２１において、図１６と対応する部分には同一符号を付し、適宜、その詳細説明は省略する。この放送送出システム１００では、パケット化部１３７に、レジスタ１３２ａ，１３２ｂより、ＮＴＰサーバから取得された６４ビットフォーマットの時刻情報が供給される。パケット化部１３７では、この６４ビットフォーマットの時刻情報を含むＩＰパケットが生成され、マルチプレクサ１４１に送られる。
【０１５２】
これにより、マルチプレクサ１４１で生成されるＭＭＴ方式放送ストリームは、ＮＴＰサーバから取得された６４ビットフォーマットの時刻情報を含むものとなる。図２３（ａ）は、６４ビットフォーマットの時刻情報の構成を示している。図２３（ｂ）は、タイムスタンプ発生部１５２で発生されるタイムスタンプの構成を示している。なお、図２１のその他の部分は、図１６と同様に構成される。
【０１５３】
次に、図２２を参照して、受信機２００側の構成例を説明する。この図２２において、図１７と対応する部分には同一符号を付し、適宜、その詳細説明は省略する。デマルチプレクサ２３１で抽出される６４ビットフォーマットの時刻情報（図１２（ｂ）参照）は、３２ビットレジスタ２６１ａ，２６１ｂで保持される。３２ビットレジスタ２６１ａには上位３２ビットのビットデータが保持され、３２ビットレジスタ２６１ｂには下位３２ビットのビットデータが保持される。３２ビットレジスタ２６１ａ，２６２ｂの保持内容は、デマルチプレクサ２３１で６４ビットフォーマットの時刻情報が抽出される毎に更新される。
【０１５４】
９ビットカウンタ２３３ａ、１７ビットカウンタ２３３ｂおよび３２ビットカウンタ２３３ｃの５８ビットのビット出力は、時刻情報としてのシステム・タイム・クロック（ＳＴＣ：System Time Clock）となる。このシステム・タイム・クロックはビット変換部２６２に入力される。このビット変換部２６２では、例えば変換テーブルが使用されるなどして、９ビットカウンタ２３３ａおよび１７ビットカウンタ２３３ｂのビット出力が、３２ビットカウンタ２３３ｃのビット出力の下位に連続する３２ビット出力に変換される。この変換は、ＮＴＰサーバから取得される６４ビットフォーマットの時刻情報の下位３２ビットのビット出力に対応させるために行われる。ビット変換部２６２では、このように変換された３２ビット出力と３２ビットカウンタ２３３ｃのビット出力とを合わせた６４ビット出力が得られる。
【０１５５】
比較器２３４では、３２ビットレジスタ２６１ａ，２６１ｂの保持内容が更新されるタイミングでビット変換部２６２からの６４ビットのビット出力がラッチされ、レジスタ保持内容、つまりＭＴＴ放送ストリームから抽出された６４ビットフォーマットの時刻情報と比較される。そして、比較器２３４から電圧制御発振器２３２に、比較誤差信号が制御信号として供給される。
【０１５６】
ここで、電圧制御発振器２３２、カウンタ２３３ａ，２３３ｂ，２３３ｃ、ビット変換部２６２および比較器２３４により、送信側と同様のＰＬＬ（Phase Locked Loop）回路が構成される。そのため、電圧制御発振器２３２では、ＭＴＴ放送ストリームから抽出された６４ビットフォーマットの時刻情報に同期した２７ＭＨｚのクロック（システムクロック）が生成される。
【０１５７】
この変形例においては、カウンタ２３３ａ、カウンタ２３３ｂ、カウンタ２３３ｃの初期値を与える場合、選局時や電源投入時において、受信した図１９（ａ）の６４ビットのＮＴＰデータのうち下位３２ビットを示すレジスタ２６１ｂの出力がオール０となった時点で、時刻情報の上位３２ビットを示すレジスタ２６１ａの出力を３２ビットカウンタ２３３ｃの初期値としてセットし、かつ１７ビットカウンタ２３３ｂと９ビットカウンタ２３３ａをそれぞれオール０にセットする。
【０１５８】
また、カウンタ２３３ａ、２３３ｂ，２３３ｃでは、この２７ＭＨｚのクロックの周波数情報を含み、ＭＴＴ放送ストリームから抽出された６４ビットフォーマットの時刻情報に同期した、５８ビットの時刻情報（システム・タイム・クロック）が生成される。なお、図２２のその他の部分は、図１７と同様に構成される。
【０１５９】
図２１、図２２に示すクロック同期・提示同期方式（ＭＭＴ方式）にあっても、図１６、図１７にクロック同期・提示同期方式（ＭＭＴ方式）と同様に、クロック同期および提示同期を実現できる。
【０１６０】
また、本技術は、以下のような構成を取ることもできる。
（１）時刻情報サーバから取得された時刻情報に同期した２７ＭＨｚのクロックを生成するクロック生成部と、
上記クロック生成部で生成された２７ＭＨｚのクロックの周波数情報を含む上記時刻情報サーバから取得された時刻情報に同期した時刻情報を生成する時刻情報生成部と、
伝送メディアと、上記時刻情報生成部で生成された時刻情報に基づいて得られた該伝送メディアの提示単位毎の提示時刻情報と、上記時刻情報生成部で生成された時刻情報あるいは上記時刻情報サーバから取得された時刻情報とを含むＩＰ方式の放送信号を送信する送信部とを備える
送信装置。
（２）上記放送信号は、
上記伝送メディアを含むＩＰパケットをカプセル化した第１の伝送パケットと、上記時刻情報生成部で生成された時刻情報あるいは上記時刻情報サーバから取得された時刻情報を含むＩＰパケットをカプセル化した第２の伝送パケットとを持つ
前記（１）に記載の送信装置。
（３）上記第１の伝送パケット内のＩＰパケットは、該ＩＰパケットに含まれている伝送メディアの上記提示時刻情報をさらに含む
前記（２）に記載の送信装置。
（４）上記第１の伝送パケット内のＩＰパケットは、ペイロード部に上記伝送メディアが配置されたＲＴＰパケットを含む
前記（３）に記載の送信装置。
（５）上記放送信号は、
上記第１の伝送パケット内のＩＰパケットに含まれている伝送メディアの上記提示時刻情報を含むＩＰパケットをカプセル化した第３の伝送パケットを持つ
前記（２）に記載の送信装置。
（６）上記第１の伝送パケット内のＩＰパケットは、ペイロード部に上記伝送メディアが配置されたＭＭＴパケットを含み、
上記第２の伝送パケット内のＩＰパケットは、ペイロード部に上記提示時刻情報が配置されたＭＭＴパケットを含む
前記（５）に記載の送信装置。
（７）上記時刻情報生成部は、
上記クロック生成部で生成された２７ＭＨｚのクロックをカウントして３００分周する９ビットカウンタと、該９ビットカウンタの分周出力をカウントして９００００分周する１７ビットカウンタと、該１７ビットカウンタの分周出力をカウントする３２ビットカウンタとを有する
前記（１）から（６）のいずれかに記載の送信装置。
（８）上記クロック生成部は、
２７ＭＨｚのクロックを出力する電圧制御発振器と、
上記電圧制御発振器のクロック出力をカウントして３００分周する９ビットカウンタと、
上記９ビットカウンタの分周出力をカウントして９００００分周する１７ビットカウンタと、
上記１７ビットカウンタの分周出力をカウントする３２ビットカウンタと、
上記９ビットカウンタ、上記１７ビットカウンタおよび上記３２ビットカウンタのビット出力のうち、上記９ビットカウンタおよび上記１７ビットカウンタのビット出力を、上記３２ビットカウンタのビット出力の下位に連続する３２ビット出力に変換して、該変換された３２ビット出力と上記３２ビットカウンタのビット出力とを合わせた６４ビット出力を得るビット変換部と、
上記ビット変換部で得られた６４ビット出力と上記時刻情報サーバから取得された時刻情報とを比較し、差分値に対応した制御信号を上記電圧制御発振器に与える比較器とを有し、
上記時刻情報生成部は、
上記９ビットカウンタ、上記１７ビットカウンタおよび上記３２ビットカウンタにより構成される
前記（１）から（７）のいずれかに記載の送信装置。
（９）上記放送信号は、
含まれる時刻情報が、上記時刻情報生成部で生成された時刻情報であるか上記時刻情報サーバから取得された時刻情報であるかを示す識別情報をさらに含む
前記（１）から（８）のいずれかに記載の送信装置。
（１０）時刻情報サーバから取得された時刻情報に同期した２７ＭＨｚのクロックを生成するクロック生成ステップと、
上記生成された２７ＭＨｚのクロックの周波数情報を含む上記時刻情報サーバから取得された時刻情報に同期した時刻情報を生成する時刻情報生成ステップと、
伝送メディアと、上記発生された時刻情報に基づいて得られた該伝送メディアの提示単位毎の提示時刻情報と、上記生成された時刻情報あるいは上記時刻情報サーバから取得された時刻情報とを含むＩＰ方式の放送信号を送信する送信ステップとを備える
送信方法。
（１１）伝送メディアと、該伝送メディアの提示単位毎の提示時刻情報と、時刻情報サーバから取得された時刻情報に関連した時刻情報とを含むＩＰ方式の放送信号を受信する受信部と、
上記放送信号に含まれる時刻情報サーバから取得された時刻情報に関連した時刻情報に基づいて、該時刻情報に同期した、２７ＭＨｚのクロックおよび該２７ＭＨｚのクロックの周波数情報を含む時刻情報を生成するクロック・時刻情報生成部と、
上記放送信号に含まれる伝送メディアを、上記放送信号に含まれる提示時刻情報と、上記クロック・時刻情報生成部で生成されたクロックおよび時刻情報に基づいて処理する処理部とを備える
受信装置。
（１２）上記放送信号に含まれる時刻情報サーバから取得された時刻情報に関連した時刻情報は、該時刻情報サーバから取得された時刻情報に同期した２７ＭＨｚの周波数情報を含む時刻情報であり、
上記クロック・時刻情報生成部は、
２７ＭＨｚのクロックを出力する電圧制御発振器と、
上記電圧制御発振器のクロック出力をカウントして３００分周する９ビットカウンタと、
上記９ビットカウンタの分周出力をカウントして９００００分周する１７ビットカウンタと、
上記１７ビットカウンタの分周出力をカウントする３２ビットカウンタと、
上記９ビットカウンタ、上記１７ビットカウンタおよび上記３２ビットカウンタのビット出力と上記放送信号が有する時刻情報サーバから取得された時刻情報に関連した時刻情報とを比較し、上記電圧制御発振器に制御信号として供給する誤差信号を得る比較器とを有する
前記（１１）に記載の受信装置。
（１３）上記放送信号に含まれる時刻情報サーバから取得された時刻情報に関連した時刻情報は、上記時刻情報サーバから取得された時刻情報に同期した２７ＭＨｚの周波数情報を含む時刻情報あるいは上記時刻情報サーバから取得された時刻情報と同じ時刻情報であり、
上記放送信号は、上記時刻情報サーバから取得された時刻情報に関連した時刻情報が、該時刻情報サーバから取得された時刻情報に同期した２７ＭＨｚの周波数情報を含む第１の時刻情報であるか、該時刻情報サーバから取得された時刻情報と同じ時刻情報であるかを示す識別情報をさらに有し、
上記クロック・時刻情報生成部は、
２７ＭＨｚのクロックを出力する電圧制御発振器と、
上記電圧制御発振器のクロック出力をカウントして３００分周する９ビットカウンタと、
上記９ビットカウンタの分周出力をカウントして９００００分周する１７ビットカウンタと、
上記１７ビットカウンタの分周出力をカウントする３２ビットカウンタと、
上記９ビットカウンタ、上記１７ビットカウンタおよび上記３２ビットカウンタのビット出力と上記放送信号が有する時刻情報サーバから取得された時刻情報に関連した時刻情報とを比較し、上記電圧制御発振器に制御信号として供給する誤差信号を得る比較器と、
上記識別情報が上記第１の時刻情報を示すとき上記比較器で得られる誤差信号を上記電圧制御発振器に制御信号として供給し、上記識別情報が上記第２の時刻情報を示すとき固定値を上記電圧制御発振器に制御信号として供給するセレクタとを有する
前記（１１）に記載の受信装置。
（１４）上記放送信号に含まれる時刻情報サーバから取得された時刻情報に関連した時刻情報は、該時刻情報サーバから取得された時刻情報と同じ時刻情報であり、
上記クロック・時刻情報生成部は、
２７ＭＨｚのクロックを出力する電圧制御発振器と、
上記電圧制御発振器のクロック出力をカウントして３００分周する９ビットカウンタと、
上記９ビットカウンタの分周出力をカウントして９００００分周する１７ビットカウンタと、
上記１７ビットカウンタの分周出力をカウントする３２ビットカウンタと、
上記９ビットカウンタ、上記１７ビットカウンタおよび上記３２ビットカウンタのビット出力のうち、上記９ビットカウンタおよび上記１７ビットカウンタのビット出力を、上記３２ビットカウンタのビット出力の下位に連続する３２ビット出力に変換して、該変換された３２ビット出力と上記３２ビットカウンタのビット出力とを合わせた６４ビット出力を得るビット変換部と、
上記ビット変換部で得られた６４ビット出力と上記時刻情報サーバから取得された時刻情報とを比較し、上記電圧制御発振器に制御信号として供給する誤差信号を得る比較器とを有する
前記（１１）に記載の送信装置。
（１５）上記放送信号は、
上記伝送メディアを含むＩＰパケットをカプセル化した第１の伝送パケットと、上記時刻情報サーバから取得された時刻情報に関連した時刻情報を含むＩＰパケットをカプセル化した第２の伝送パケットとを持つ
前記（１１）から（１４）のいずれかに記載の送信装置。
（１６）上記第１の伝送パケット内のＩＰパケットは、該ＩＰパケットに含まれている伝送メディアの上記提示時刻情報をさらに含む
前記（１５）に記載の送信装置。
（１７）上記放送信号は、
上記第１の伝送パケット内のＩＰパケットに含まれている伝送メディアの上記提示時刻情報を含むＩＰパケットをカプセル化した第３の伝送パケットを持つ
前記（１５）に記載の送信装置。
（１８）伝送メディアと、該伝送メディアの提示単位毎の提示時刻情報と、時刻情報サーバから取得された時刻情報に関連した時刻情報とを含むＩＰ方式の放送信号を受信する受信ステップと、
上記放送信号に含まれる時刻情報サーバから取得された時刻情報に関連した時刻情報に基づいて、該時刻情報に同期した、２７ＭＨｚのクロックおよび該２７ＭＨｚのクロックの周波数情報を含む時刻情報を生成するクロック・時刻情報発生ステップと、
上記放送信号に含まれる上記伝送メディアを、上記放送信号に含まれる提示時刻情報と、上記生成されたクロックおよび時刻情報に基づいて処理する処理ステップとを備える
受信方法。
（１９）送信装置と受信装置とからなり、
送信装置は、
時刻情報サーバから取得された時刻情報に同期した２７ＭＨｚのクロックを生成するクロック生成部と、
上記クロック生成部で生成された２７ＭＨｚのクロックの周波数情報を含む上記時刻情報サーバから取得された時刻情報に同期した時刻情報を生成する時刻情報生成部と、
伝送メディアと、上記時刻情報生成部で生成された時刻情報に基づいて得られた該伝送メディアの提示単位毎の提示時刻情報と、上記時刻情報生成部で生成された時刻情報あるいは上記時刻情報サーバから取得された時刻情報とを含むＩＰ方式の放送信号を送信する送信部とを備え、
受信装置は、
上記ＩＰ方式の放送信号を受信する受信部と、
上記放送信号に含まれる時刻情報に基づいて、該時刻情報に同期した、２７ＭＨｚのクロックおよび該２７ＭＨｚのクロックの周波数情報を含む時刻情報を生成するクロック・時刻情報生成部と、
上記放送信号に含まれる伝送メディアを、上記放送信号に含まれる提示時刻情報と、上記クロック・時刻情報生成部で生成されたクロックおよび時刻情報に基づいて処理する処理部とを備える
送受信システム。
【０１６１】
本技術の主な特徴は、ＩＰ方式の放送信号にＮＴＰサーバ（時刻情報サーバ）から取得された時刻情報に関連した時刻情報から取得された６４ビットフォーマットの時刻情報、あるいはその時刻情報に同期した２７ＭＨｚのクロックの周波数情報を含む時刻情報）を含めることで、クロック同期を実現可能としたことである（図５、図７参照）。
【符号の説明】
【０１６２】
１０・・・送受信システム
１１・・・クロック生成部
１２・・・時計部（時刻情報発生部）
１３・・・エンコード処理部
１４・・・パケット化/タイムスタンプ付加部
１５・・・エンコードバッファ
２１・・・クロック生成部
２２・・・時計部（時刻情報発生部）
２３・・・デコードバッファ
２４・・・デパケット化/タイミング調整部
２５・・・デコード処理部
１００・・・放送送出システム
１０１・・・時計部
１０２・・・信号送出部
１０３・・・ビデオエンコーダ
１０４・・・オーディオエンコーダ
１０５・・・キャプションエンコーダ
１０６・・・ＴＬＶ（ＧＳＥ）シグナリング発生部
１０７-1〜１０７-N・・・ＩＰサービス・マルチプレクサ
１０８・・・ＴＬＶ（ＧＳＥ）・マルチプレクサ
１０９・・・変調/送信部
１１１・・・時計部
１１２・・・信号送出部
１１３・・・ビデオエンコーダ
１１４・・・オーディオエンコーダ
１１５・・・キャプションエンコーダ
１１６・・・シグナリング発生部
１１７・・・ＴＬＶ（ＧＳＥ）シグナリング発生部
１１８-1〜１１８-N・・・ＩＰサービス・マルチプレクサ
１１９・・・マルチプレクサ
１２０・・・変調/送信部
１３１・・・ＮＴＰ/ＩＰインタフェース
１３２ａ，１３２ｂ・・・３２ビットレジスタ
１３３・・・電圧制御発振器
１３４ａ・・・９ビットカウンタ
１３４ｂ・・・１７ビットカウンタ
１３４ｃ・・・３２ビットカウンタ
１３５・・・ビット変換部
１３６・・・比較器
１３７・・・パケット化部
１３８・・・ビデオエンコード処理部
１３９・・・パケット化/タイムスタンプ付加部
１４０・・・エンコードバッファ
１４１・・・マルチプレクサ
１５１・・・パケット化部
１５２・・・タイムスタンプ発生部
１５３・・・パケット化部
２００・・・受信機
２０１・・・チューナ/復調部
２０２・・・ＴＬＶ（ＧＳＥ）・デマルチプレクサ
２０３・・・時計部
２０４・・・ビデオデコーダ
２０５・・・オーディオデコーダ
２０６・・・キャプションデコーダ
２０７・・・システム制御部
２０８・・・合成部
２３１・・・デマルチプレクサ
２３２・・・電圧制御発振器
２３３ａ・・・９ビットカウンタ
２３３ｂ・・・１７ビットカウンタ
２３３ｃ・・・３２ビットカウンタ
２３４・・・比較器
２３５・・・デコードバッファ
２３６・・・デパケット化部
２３７・・・提示制御部
２３８・・・ビデオデコード処理部
２５１・・・デパケット化部
２６１・・・セレクタ
２６２・・・ビット変換部
２６３・・・セレクタ
【図１】
2014230154.tif 000003
【図２】
2014230154.tif 000004
【図３】
2014230154.tif 000005
【図４】
2014230154.tif 000006
【図５】
2014230154.tif 000007
【図６】
2014230154.tif 000008
【図７】
2014230154.tif 000009
【図８】
2014230154.tif 000010
【図９】
2014230154.tif 000011
【図１０】
2014230154.tif 000012
【図１１】
2014230154.tif 000013
【図１２】
2014230154.tif 000014
【図１３】
2014230154.tif 000015
【図１４】
2014230154.tif 000016
【図１５】
2014230154.tif 000017
【図１６】
2014230154.tif 000018
【図１７】
2014230154.tif 000019
【図１８】
2014230154.tif 000020
【図１９】
2014230154.tif 000021
【図２０】
2014230154.tif 000022
【図２１】
2014230154.tif 000023
【図２２】
2014230154.tif 000024
【図２３】
2014230154.tif 000025